(57)【要約】【課題】遅延時間の大きいマルチパスが存在する場合でも、信頼性の高い遅延プロファイルを検出できる遅延プロファイル検出回路、及びそれを用いた受信装置を実現すること。【解決手段】部分セグメント抽出部９１２は、ＦＦＴ部９０５から得られたキャリア信号から、誤り耐性の高い変調方式で伝送された階層に属するセグメントを抽出する。参照信号判定部９１３は、部分セグメントのキャリア信号に対して、変調方式に応じたマッピング信号点の硬判定を行い、参照信号として出力する。周波数特性算出部９１４は、部分セグメントのキャリア信号と、判定された参照信号とに基づいて周波数特性を算出する。ＩＦＦＴ部９１５は、算出された周波数特性に対してＩＦＦＴを行い、遅延プロファイルを示す時間領域信号に変換して出力する。【選択図】図３
2008042574.tif 000002
【特許請求の範囲】
【請求項１】
直交周波数分割多重（ＯＦＤＭ）信号を受信する受信装置であって、
選局を行うチューナ手段と、
受信信号をデジタル信号に変換するＡ／Ｄ変換手段と、
デジタル信号を直交検波しベースバンドＯＦＤＭ信号に変換する直交復調手段と、
前記直交復調手段からの信号に対し高速フーリエ変換を行い、時間領域の信号から周波数領域の信号に変換して出力するＦＦＴ手段と、
前記ＦＦＴ手段からの信号に対し同期検波もしくは差動検波を行い、復調された信号を出力する検波手段と、
前記検波手段で得られた復調信号に対し、誤り復号訂正を行う誤り訂正手段と、
前記誤り訂正手段で得られたデジタルデータに対し、映像復号もしくは音声復号、あるいはその両方を行い、映像信号／音声信号を出力するデータ復号手段と、
前記データ復号手段で得られた映像信号／音声信号を表示出力する表示手段およびスピーカ手段と、
前記検波手段で得られた復調信号に対し、変調方式に応じたマッピング信号点の判定を行い、参照信号として出力する参照信号判定手段と、
前記検波手段で得られた復調信号と、前記参照信号判定手段で判定された参照信号と、に基づいて周波数特性を算出する周波数特性算出手段と、
前記周波数特性算出手段で得られた周波数特性に対して逆高速フーリエ変換を行い、遅延プロファイルを示す時間領域信号に変換して出力するＩＦＦＴ手段と、
前記ＩＦＦＴ手段で得られた遅延プロファイル信号に基づいて、前記ＦＦＴ手段において処理されるべきベースバンドＯＦＤＭ信号の時間窓を設定するためのシンボルタイミングを制御するシンボルタイミング制御手段と、
を具備することを特徴とする受信装置。
【請求項２】
前記ＦＦＴ手段で得られた信号から、伝送制御信号を抽出し、各種伝送パラメータを検出して出力する伝送パラメータ検出手段をさらに具備し、
前記参照信号判定手段は、前記検波手段で得られた復調信号の各々のキャリア信号に対し、前記伝送パラメータ検出手段で検出された伝送パラメータに従い、変調方式に応じたマッピング信号点の判定を行い、参照信号として出力する
ことを特徴とする請求項１記載の受信装置。
【請求項３】
直交周波数分割多重（ＯＦＤＭ）信号を受信する受信装置であって、
選局を行うチューナ手段と、
受信信号をデジタル信号に変換するＡ／Ｄ変換手段と、
デジタル信号を直交検波しベースバンドＯＦＤＭ信号に変換する直交復調手段と、
前記直交復調手段からの信号に対し高速フーリエ変換を行い、時間領域の信号から周波数領域の信号に変換して出力するＦＦＴ手段と、
前記ＦＦＴ手段からの信号に対し同期検波もしくは差動検波を行い、復調された信号を出力する検波手段と、
前記検波手段で得られた復調信号に対し、誤り復号訂正を行う誤り訂正手段と、
前記誤り訂正手段で得られたデジタルデータに対し、映像復号もしくは音声復号、あるいはその両方を行い、映像信号／音声信号を出力するデータ復号手段と、
前記データ復号手段で得られた映像信号／音声信号を表示出力する表示手段およびスピーカ手段と、
前記検波手段で得られた復調信号から、一部の所定のセグメントを抽出する部分セグメント抽出手段と、
前記部分セグメント抽出手段で得られたセグメント信号に対し、変調方式に応じたマッピング信号点の判定を行い、参照信号として出力する参照信号判定手段と、
前記部分セグメント抽出手段で得られたセグメント信号と、前記参照信号判定手段で判定された参照信号と、に基づいて周波数特性を算出する周波数特性算出手段と、
前記周波数特性算出手段で得られた周波数特性に対して逆高速フーリエ変換を行い、遅延プロファイルを示す時間領域信号に変換して出力するＩＦＦＴ手段と、
前記ＩＦＦＴ手段で得られた遅延プロファイル信号に基づいて、前記ＦＦＴ手段において処理されるべきベースバンドＯＦＤＭ信号の時間窓を設定するためのシンボルタイミングを制御するシンボルタイミング制御手段と、
を具備することを特徴とする受信装置。
【請求項４】
前記部分セグメント抽出手段は、前記検波手段で得られた復調信号から、伝送スペクトル上で中央に位置する一つのセグメントを抽出する
ことを特徴とする請求項３記載の受信装置。
【請求項５】
前記部分セグメント抽出手段は、前記検波手段で得られた復調信号から、階層伝送に対応し、最も誤り耐性の高い変調方式で伝送された階層に属するセグメントを抽出する
ことを特徴とする請求項３記載の受信装置。
【請求項６】
前記ＦＦＴ手段で得られた信号から、伝送制御信号を抽出し、各種伝送パラメータを検出して出力する伝送パラメータ検出手段をさらに具備し、
前記部分セグメント抽出手段は、前記検波手段で得られた復調信号から、前記伝送パラメータ検出手段で検出された伝送パラメータに従い、最も誤り耐性の高い変調方式で伝送された階層に属するセグメントを抽出し、
前記参照信号判定手段は、前記部分セグメント抽出手段で得られたセグメント信号に対し、前記伝送パラメータ検出手段で検出された伝送パラメータに従い、変調方式に応じたマッピング信号点の判定を行い、参照信号として出力する
ことを特徴とする請求項３記載の受信装置。
【請求項７】
直交周波数分割多重（ＯＦＤＭ）信号を受信する受信装置であって、
選局を行うチューナ手段と、
受信信号をデジタル信号に変換するＡ／Ｄ変換手段と、
デジタル信号を直交検波しベースバンドＯＦＤＭ信号に変換する直交復調手段と、
前記直交復調手段からの信号に対し高速フーリエ変換を行い、時間領域の信号から周波数領域の信号に変換して出力するＦＦＴ手段と、
前記ＦＦＴ手段からの信号に対し同期検波もしくは差動検波を行い、復調された信号を出力する検波手段と、
前記検波手段で得られた復調信号に対し、誤り復号訂正を行う誤り訂正手段と、
前記誤り訂正手段で得られたデジタルデータに対し、映像復号もしくは音声復号、あるいはその両方を行い、映像信号／音声信号を出力するデータ復号手段と、
前記データ復号手段で得られた映像信号／音声信号を表示出力する表示手段およびスピーカ手段と、
前記検波手段で得られた復調信号に対し、変調方式に応じたマッピング信号点の判定を行い、参照信号として出力する第一の参照信号判定手段と、
前記検波手段で得られた復調信号と、前記第一の参照信号判定手段で判定された参照信号と、に基づいて周波数特性を算出する第一の周波数特性算出手段と、
前記第一の周波数特性算出手段で得られた周波数特性に対して逆高速フーリエ変換を行い、遅延プロファイルを示す時間領域信号に変換して出力する第一のＩＦＦＴ手段と、
前記検波手段で得られた復調信号から、一部の所定のセグメントを抽出する部分セグメント抽出手段と、
前記部分セグメント抽出手段で得られたセグメント信号に対し、変調方式に応じたマッピング信号点の判定を行い、参照信号として出力する第二の参照信号判定手段と、
前記部分セグメント抽出手段で得られたセグメント信号と、前記第二の参照信号判定手段で判定された参照信号と、に基づいて周波数特性を算出する第二の周波数特性算出手段と、
前記第二の周波数特性算出手段で得られた周波数特性に対して逆高速フーリエ変換を行い、遅延プロファイルを示す時間領域信号に変換して出力する第二のＩＦＦＴ手段と、
前記ＦＦＴ手段で得られたキャリア信号からＳＰ信号を抽出し、抽出したＳＰ信号に基づいて遅延プロファイルを検出して出力するＳＰ信号遅延プロファイル検出手段と、
前記ＳＰ信号遅延プロファイル検出手段で得られた遅延プロファイル信号、前記第一のＩＦＦＴ手段で得られた遅延プロファイル信号、前記第二のＩＦＦＴ手段で得られた遅延プロファイル信号の中から、いずれかの遅延プロファイルを選択して出力する選択手段と、
前記選択手段で選択された遅延プロファイル信号に基づいて、前記ＦＦＴ手段において処理されるべきベースバンドＯＦＤＭ信号の時間窓を設定するためのシンボルタイミングを制御するシンボルタイミング制御手段と、
を具備することを特徴とする受信装置。
【請求項８】
直交周波数分割多重（ＯＦＤＭ）信号を受信する受信装置であって、
選局を行うチューナ手段と、
受信信号をデジタル信号に変換するＡ／Ｄ変換手段と、
デジタル信号を直交検波しベースバンドＯＦＤＭ信号に変換する直交復調手段と、
前記直交復調手段からの信号に対し高速フーリエ変換を行い、時間領域の信号から周波数領域の信号に変換して出力するＦＦＴ手段と、
前記ＦＦＴ手段からの信号に対し同期検波もしくは差動検波を行い、復調された信号を出力する検波手段と、
前記検波手段で得られた復調信号に対し、誤り復号訂正を行う誤り訂正手段と、
前記誤り訂正手段で得られたデジタルデータに対し、映像復号もしくは音声復号、あるいはその両方を行い、映像信号／音声信号を出力するデータ復号手段と、
前記データ復号手段で得られた映像信号／音声信号を表示出力する表示手段およびスピーカ手段と、
前記検波手段で得られた復調信号に対し、変調方式に応じたマッピング信号点の判定を行い、参照信号として出力する第一の参照信号判定手段と、
前記検波手段で得られた復調信号と、前記第一の参照信号判定手段で判定された参照信号と、に基づいて周波数特性を算出する第一の周波数特性算出手段と、
前記第一の周波数特性算出手段で得られた周波数特性に対して逆高速フーリエ変換を行い、遅延プロファイルを示す時間領域信号に変換して出力する第一のＩＦＦＴ手段と、
前記検波手段で得られた復調信号から、一部の所定のセグメントを抽出する部分セグメント抽出手段と、
前記部分セグメント抽出手段で得られたセグメント信号に対し、変調方式に応じたマッピング信号点の判定を行い、参照信号として出力する第二の参照信号判定手段と、
前記部分セグメント抽出手段で得られたセグメント信号と、前記第二の参照信号判定手段で判定された参照信号と、に基づいて周波数特性を算出する第二の周波数特性算出手段と、
前記第二の周波数特性算出手段で得られた周波数特性に対して逆高速フーリエ変換を行い、遅延プロファイルを示す時間領域信号に変換して出力する第二のＩＦＦＴ手段と、
前記第一のＩＦＦＴ手段で得られた遅延プロファイル信号、前記第二のＩＦＦＴ手段で得られた遅延プロファイル信号の、いずれかの遅延プロファイルを選択して出力する選択手段と、
前記選択手段で選択された遅延プロファイル信号に基づいて、前記ＦＦＴ手段において処理されるべきベースバンドＯＦＤＭ信号の時間窓を設定するためのシンボルタイミングを制御するシンボルタイミング制御手段と、
を具備することを特徴とする受信装置。
【請求項９】
直交周波数分割多重（ＯＦＤＭ）信号を受信する受信装置であって、
選局を行うチューナ手段と、
受信信号をデジタル信号に変換するＡ／Ｄ変換手段と、
デジタル信号を直交検波しベースバンドＯＦＤＭ信号に変換する直交復調手段と、
前記直交復調手段からの信号に対し高速フーリエ変換を行い、時間領域の信号から周波数領域の信号に変換して出力するＦＦＴ手段と、
前記ＦＦＴ手段からの信号に対し同期検波もしくは差動検波を行い、復調された信号を出力する検波手段と、
前記検波手段で得られた復調信号に対し、誤り復号訂正を行う誤り訂正手段と、
前記誤り訂正手段で得られたデジタルデータに対し、映像復号もしくは音声復号、あるいはその両方を行い、映像信号／音声信号を出力するデータ復号手段と、
前記データ復号手段で得られた映像信号／音声信号を表示出力する表示手段およびスピーカ手段と、
前記検波手段で得られた復調信号に対し、変調方式に応じたマッピング信号点の判定を行い、参照信号として出力する参照信号判定手段と、
前記検波手段で得られた復調信号と、前記参照信号判定手段で判定された参照信号と、に基づいて周波数特性を算出する周波数特性算出手段と、
前記周波数特性算出手段で得られた周波数特性に対して逆高速フーリエ変換を行い、遅延プロファイルを示す時間領域信号に変換して出力するＩＦＦＴ手段と、
前記ＦＦＴ手段で得られたキャリア信号からＳＰ信号を抽出し、抽出したＳＰ信号に基づいて遅延プロファイルを検出して出力するＳＰ信号遅延プロファイル検出手段と、
前記ＳＰ信号遅延プロファイル検出手段で得られた遅延プロファイル信号、前記ＩＦＦＴ手段で得られた遅延プロファイル信号の、いずれかの遅延プロファイルを選択して出力する選択手段と、
前記選択手段で選択された遅延プロファイル信号に基づいて、前記ＦＦＴ手段において処理されるべきベースバンドＯＦＤＭ信号の時間窓を設定するためのシンボルタイミング  を制御するシンボルタイミング制御手段と、
を具備することを特徴とする受信装置。
【請求項１０】
直交周波数分割多重（ＯＦＤＭ）信号を受信する受信装置であって、
選局を行うチューナ手段と、
受信信号をデジタル信号に変換するＡ／Ｄ変換手段と、
デジタル信号を直交検波しベースバンドＯＦＤＭ信号に変換する直交復調手段と、
前記直交復調手段からの信号に対し高速フーリエ変換を行い、時間領域の信号から周波数領域の信号に変換して出力するＦＦＴ手段と、
前記ＦＦＴ手段からの信号に対し同期検波もしくは差動検波を行い、復調された信号を出力する検波手段と、
前記検波手段で得られた復調信号に対し、誤り復号訂正を行う誤り訂正手段と、
前記誤り訂正手段で得られたデジタルデータに対し、映像復号もしくは音声復号、あるいはその両方を行い、映像信号／音声信号を出力するデータ復号手段と、
前記データ復号手段で得られた映像信号／音声信号を表示出力する表示手段およびスピーカ手段と、
前記検波手段で得られた復調信号から、一部の所定のセグメントを抽出する部分セグメント抽出手段と、
前記部分セグメント抽出手段で得られたセグメント信号に対し、変調方式に応じたマッピング信号点の判定を行い、参照信号として出力する参照信号判定手段と、
前記部分セグメント抽出手段で得られたセグメント信号と、前記参照信号判定手段で判定された参照信号と、に基づいて周波数特性を算出する周波数特性算出手段と、
前記周波数特性算出手段で得られた周波数特性に対して逆高速フーリエ変換を行い、遅延プロファイルを示す時間領域信号に変換して出力するＩＦＦＴ手段と、
前記ＦＦＴ手段で得られたキャリア信号からＳＰ信号を抽出し、抽出したＳＰ信号に基づいて遅延プロファイルを検出して出力するＳＰ信号遅延プロファイル検出手段と、
前記ＳＰ信号遅延プロファイル検出手段で得られた遅延プロファイル信号、前記ＩＦＦＴ手段で得られた遅延プロファイル信号の、いずれかの遅延プロファイルを選択して出力する選択手段と、
前記選択手段で選択された遅延プロファイル信号に基づいて、前記ＦＦＴ手段において処理されるべきベースバンドＯＦＤＭ信号の時間窓を設定するためのシンボルタイミングを制御するシンボルタイミング制御手段と、
を具備することを特徴とする受信装置。
【請求項１１】
前記ＦＦＴ手段で得られた信号から、伝送制御信号を抽出し、各種伝送パラメータを検出して出力する伝送パラメータ検出手段をさらに具備し、
前記選択手段は、前記伝送パラメータ検出手段で検出された伝送パラメータに従い、階層伝送の有無や各階層の変調方式に応じて、入力された複数の遅延プロファイル信号の中から、いずれかの遅延プロファイルを選択して出力する
ことを特徴とする請求項７〜１０のいずれかに記載の受信装置。
【請求項１２】
直交周波数分割多重（ＯＦＤＭ）信号を受信する受信装置であって、
選局を行うチューナ手段と、
受信信号をデジタル信号に変換するＡ／Ｄ変換手段と、
デジタル信号を直交検波しベースバンドＯＦＤＭ信号に変換する直交復調手段と、
前記直交復調手段からの信号に対し高速フーリエ変換を行い、時間領域の信号から周波数領域の信号に変換して出力するＦＦＴ手段と、
前記ＦＦＴ手段からの信号に対し同期検波もしくは差動検波を行い、復調された信号を出力する検波手段と、
前記検波手段で得られた復調信号に対し、誤り復号訂正を行う誤り訂正手段と、
前記誤り訂正手段で得られたデジタルデータに対し、映像復号もしくは音声復号、あるいはその両方を行い、映像信号／音声信号を出力するデータ復号手段と、
前記データ復号手段で得られた映像信号／音声信号を表示出力する表示手段およびスピーカ手段と、
前記検波手段で得られた復調信号に対し、変調方式に応じたマッピング信号点の判定を行い、参照信号として出力する第一の参照信号判定手段と、
前記検波手段で得られた復調信号と、前記第一の参照信号判定手段で判定された参照信号と、に基づいて周波数特性を算出する第一の周波数特性算出手段と、
前記第一の周波数特性算出手段で得られた周波数特性に対して逆高速フーリエ変換を行い、遅延プロファイルを示す時間領域信号に変換して出力する第一のＩＦＦＴ手段と、
前記検波手段で得られた復調信号から、一部の所定のセグメントを抽出する部分セグメント抽出手段と、
前記部分セグメント抽出手段で得られたセグメント信号に対し、変調方式に応じたマッピング信号点の判定を行い、参照信号として出力する第二の参照信号判定手段と、
前記部分セグメント抽出手段で得られたセグメント信号と、前記第二の参照信号判定手段で判定された参照信号と、に基づいて周波数特性を算出する第二の周波数特性算出手段と、
前記第二の周波数特性算出手段で得られた周波数特性に対して逆高速フーリエ変換を行い、遅延プロファイルを示す時間領域信号に変換して出力する第二のＩＦＦＴ手段と、
前記ＦＦＴ手段で得られたキャリア信号からＳＰ信号を抽出し、抽出したＳＰ信号に基づいて遅延プロファイルを検出して出力するＳＰ信号遅延プロファイル検出手段と、
前記誤り訂正手段で得られた誤り訂正の結果から、受信品質の良し悪しを判定して出力する受信品質判定手段と、
前記ＳＰ信号遅延プロファイル検出手段で得られた遅延プロファイル信号、前記第一のＩＦＦＴ手段で得られた遅延プロファイル信号、前記第二のＩＦＦＴ手段で得られた遅延プロファイル信号の中から、いずれかの遅延プロファイル信号に基づいて、前記ＦＦＴ手段において処理されるべきベースバンドＯＦＤＭ信号の時間窓を設定するためのシンボルタイミングを制御するとともに、前記受信品質判定手段からの受信品質判定信号に従い、受信品質が悪い場合には順次制御の基準信号を切り換えてゆき、受信品質がよい状態を保持するようにシンボルタイミングを制御するシンボルタイミング制御手段と、
を具備することを特徴とする受信装置。
【請求項１３】
直交周波数分割多重（ＯＦＤＭ）信号を受信する受信装置であって、
選局を行うチューナ手段と、
受信信号をデジタル信号に変換するＡ／Ｄ変換手段と、
デジタル信号を直交検波しベースバンドＯＦＤＭ信号に変換する直交復調手段と、
前記直交復調手段からの信号に対し高速フーリエ変換を行い、時間領域の信号から周波数領域の信号に変換して出力するＦＦＴ手段と、
前記ＦＦＴ手段からの信号に対し同期検波もしくは差動検波を行い、復調された信号を出力する検波手段と、
前記検波手段で得られた復調信号に対し、誤り復号訂正を行う誤り訂正手段と、
前記誤り訂正手段で得られたデジタルデータに対し、映像復号もしくは音声復号、あるいはその両方を行い、映像信号／音声信号を出力するデータ復号手段と、
前記データ復号手段で得られた映像信号／音声信号を表示出力する表示手段およびスピーカ手段と、
前記検波手段で得られた復調信号に対し、変調方式に応じたマッピング信号点の判定を行い、参照信号として出力する第一の参照信号判定手段と、
前記検波手段で得られた復調信号と、前記第一の参照信号判定手段で判定された参照信号と、に基づいて周波数特性を算出する第一の周波数特性算出手段と、
前記第一の周波数特性算出手段で得られた周波数特性に対して逆高速フーリエ変換を行い、遅延プロファイルを示す時間領域信号に変換して出力する第一のＩＦＦＴ手段と、
前記検波手段で得られた復調信号から、一部の所定のセグメントを抽出する部分セグメント抽出手段と、
前記部分セグメント抽出手段で得られたセグメント信号に対し、変調方式に応じたマッピング信号点の判定を行い、参照信号として出力する第二の参照信号判定手段と、
前記部分セグメント抽出手段で得られたセグメント信号と、前記第二の参照信号判定手段で判定された参照信号と、に基づいて周波数特性を算出する第二の周波数特性算出手段と、
前記第二の周波数特性算出手段で得られた周波数特性に対して逆高速フーリエ変換を行い、遅延プロファイルを示す時間領域信号に変換して出力する第二のＩＦＦＴ手段と、
前記誤り訂正手段で得られた誤り訂正の結果から、受信品質の良し悪しを判定して出力する受信品質判定手段と、
前記第一のＩＦＦＴ手段で得られた遅延プロファイル信号、前記第二のＩＦＦＴ手段で得られた遅延プロファイル信号から、いずれかの遅延プロファイル信号に基づいて、前記ＦＦＴ手段において処理されるべきベースバンドＯＦＤＭ信号の時間窓を設定するためのシンボルタイミングを制御するとともに、前記受信品質判定手段からの受信品質判定信号に従い、受信品質が悪い場合には順次制御の基準信号を切り換えてゆき、受信品質がよい状態を保持するようにシンボルタイミングを制御するシンボルタイミング制御手段と、
を具備することを特徴とする受信装置。
【請求項１４】
直交周波数分割多重（ＯＦＤＭ）信号を受信する受信装置であって、
選局を行うチューナ手段と、
受信信号をデジタル信号に変換するＡ／Ｄ変換手段と、
デジタル信号を直交検波しベースバンドＯＦＤＭ信号に変換する直交復調手段と、
前記直交復調手段からの信号に対し高速フーリエ変換を行い、時間領域の信号から周波数領域の信号に変換して出力するＦＦＴ手段と、
前記ＦＦＴ手段からの信号に対し同期検波もしくは差動検波を行い、復調された信号を出力する検波手段と、
前記検波手段で得られた復調信号に対し、誤り復号訂正を行う誤り訂正手段と、
前記誤り訂正手段で得られたデジタルデータに対し、映像復号もしくは音声復号、あるいはその両方を行い、映像信号／音声信号を出力するデータ復号手段と、
前記データ復号手段で得られた映像信号／音声信号を表示出力する表示手段およびスピーカ手段と、
前記検波手段で得られた復調信号に対し、変調方式に応じたマッピング信号点の判定を行い、参照信号として出力する参照信号判定手段と、
前記検波手段で得られた復調信号と、前記参照信号判定手段で判定された参照信号と、に基づいて周波数特性を算出する周波数特性算出手段と、
前記周波数特性算出手段で得られた周波数特性に対して逆高速フーリエ変換を行い、遅延プロファイルを示す時間領域信号に変換して出力するＩＦＦＴ手段と、
前記ＦＦＴ手段で得られたキャリア信号からＳＰ信号を抽出し、抽出したＳＰ信号に基づいて遅延プロファイルを検出して出力するＳＰ信号遅延プロファイル検出手段と、
前記誤り訂正手段で得られた誤り訂正の結果から、受信品質の良し悪しを判定して出力する受信品質判定手段と、
前記ＳＰ信号遅延プロファイル検出手段で得られた遅延プロファイル信号、前記ＩＦＦＴ手段で得られた遅延プロファイル信号から、いずれかの遅延プロファイル信号に基づいて、前記ＦＦＴ手段において処理されるべきベースバンドＯＦＤＭ信号の時間窓を設定するためのシンボルタイミングを制御するとともに、前記受信品質判定手段からの受信品質判定信号に従い、受信品質が悪い場合には順次制御の基準信号を切り換えてゆき、受信品質がよい状態を保持するようにシンボルタイミングを制御するシンボルタイミング制御手段と、
を具備することを特徴とする受信装置。
【請求項１５】
直交周波数分割多重（ＯＦＤＭ）信号を受信する受信装置であって、
選局を行うチューナ手段と、
受信信号をデジタル信号に変換するＡ／Ｄ変換手段と、
デジタル信号を直交検波しベースバンドＯＦＤＭ信号に変換する直交復調手段と、
前記直交復調手段からの信号に対し高速フーリエ変換を行い、時間領域の信号から周波数領域の信号に変換して出力するＦＦＴ手段と、
前記ＦＦＴ手段からの信号に対し同期検波もしくは差動検波を行い、復調された信号を出力する検波手段と、
前記検波手段で得られた復調信号に対し、誤り復号訂正を行う誤り訂正手段と、
前記誤り訂正手段で得られたデジタルデータに対し、映像復号もしくは音声復号、あるいはその両方を行い、映像信号／音声信号を出力するデータ復号手段と、
前記データ復号手段で得られた映像信号／音声信号を表示出力する表示手段およびスピーカ手段と、
前記検波手段で得られた復調信号から、一部の所定のセグメントを抽出する部分セグメント抽出手段と、
前記部分セグメント抽出手段で得られたセグメント信号に対し、変調方式に応じたマッピング信号点の判定を行い、参照信号として出力する参照信号判定手段と、
前記部分セグメント抽出手段で得られたセグメント信号と、前記参照信号判定手段で判定された参照信号と、に基づいて周波数特性を算出する周波数特性算出手段と、
前記周波数特性算出手段で得られた周波数特性に対して逆高速フーリエ変換を行い、遅延プロファイルを示す時間領域信号に変換して出力するＩＦＦＴ手段と、
前記ＦＦＴ手段で得られたキャリア信号からＳＰ信号を抽出し、抽出したＳＰ信号に基づいて遅延プロファイルを検出して出力するＳＰ信号遅延プロファイル検出手段と、
前記誤り訂正手段で得られた誤り訂正の結果から、受信品質の良し悪しを判定して出力する受信品質判定手段と、
前記ＳＰ信号遅延プロファイル検出手段で得られた遅延プロファイル信号、前記ＩＦＦＴ手段で得られた遅延プロファイル信号から、いずれかの遅延プロファイル信号に基づいて、前記ＦＦＴ手段において処理されるべきベースバンドＯＦＤＭ信号の時間窓を設定するためのシンボルタイミングを制御するとともに、前記受信品質判定手段からの受信品質判定信号に従い、受信品質が悪い場合には順次制御の基準信号を切り換えてゆき、受信品質がよい状態を保持するようにシンボルタイミングを制御するシンボルタイミング制御手段と、
を具備することを特徴とする受信装置。
【請求項１６】
前記直交復調手段からの信号と、前記直交復調手段からの信号に対してシンボル長相当の遅延を加えた遅延信号との相関を算出する相関算出手段をさらに具備し、
前記シンボルタイミング制御手段は、受信開始当初の初期段階では、前記相関算出手段からの相関信号に基づくシンボルタイミングの制御を行い、所定の時間の経過後、あるいは相関信号に基づくシンボルタイミング制御がある程度安定した時点で、任意の遅延プロファイル信号に基づくシンボルタイミングの制御に切り換える
ことを特徴とする請求項１〜１５のいずれかに記載の受信装置。
【請求項１７】
前記直交復調手段からの信号と、前記直交復調手段からの信号に対してシンボル長相当の遅延を加えた遅延信号との相関を算出する相関算出手段をさらに具備し、
前記シンボルタイミング制御手段は、前記相関算出手段からの相関信号、および任意の遅延プロファイル信号のいずれかに基づいて、前記ＦＦＴ手段において処理されるべきベースバンドＯＦＤＭ信号の時間窓を設定するためのシンボルタイミングを制御するとともに、前記受信品質判定手段からの受信品質判定信号に従い、受信品質が悪い場合には順次制御の基準信号を切り換えてゆき、受信品質がよい状態を保持するようにシンボルタイミングを制御する
ことを特徴とする請求項１２〜１５のいずれかに記載の受信装置。
【請求項１８】
直交周波数分割多重（ＯＦＤＭ）信号を受信する受信方法であって、
ＯＦＤＭ受信信号の選局を行い、
前記選局された受信信号をデジタル信号に変換し、
前記変換されたデジタル信号を直交検波してベースバンドＯＦＤＭ信号に変換し、
前記直交検波されたベースバンドＯＦＤＭ信号に対し高速フーリエ変換（ＦＦＴ）を行って、時間領域の信号から周波数領域の信号に変換し、
前記ＦＦＴされた信号に対し同期検波もしくは差動検波を行って復調し、
前記検波された復調信号に対し、誤り復号訂正を行い、
前記誤り復号訂正されたデジタルデータに対し、映像復号もしくは音声復号、あるいはその両方を行って映像信号／音声信号に変換し、
前記変換された映像信号／音声信号を表示出力するとともに、
前記検波された復調信号から、一部の所定のセグメントを抽出し、
前記抽出されたセグメント信号に対し、変調方式に応じたマッピング信号点の判定を行い、参照信号に変換し、
前記抽出されたセグメント信号と、前記判定された参照信号と、に基づいて周波数特性を算出し、
前記算出された周波数特性に対して逆高速フーリエ変換（ＩＦＦＴ）を行い、遅延プロファイルを示す時間領域信号に変換し、
前記ＩＦＦＴされた遅延プロファイル信号に基づいて、前記ＦＦＴ処理されるべきベースバンドＯＦＤＭ信号の時間窓を設定するためのシンボルタイミングを制御する
ことを特徴とする受信方法。
【請求項１９】
直交周波数分割多重（ＯＦＤＭ）信号を受信する受信方法であって、
ＯＦＤＭ受信信号の選局を行い、
前記選局された受信信号をデジタル信号に変換し、
前記変換されたデジタル信号を直交検波してベースバンドＯＦＤＭ信号に変換し、
前記直交検波されたベースバンドＯＦＤＭ信号に対し高速フーリエ変換（ＦＦＴ）を行って、時間領域の信号から周波数領域の信号に変換し、
前記ＦＦＴされた信号に対し同期検波もしくは差動検波を行って復調し、
前記検波された復調信号に対し、誤り復号訂正を行い、
前記誤り復号訂正されたデジタルデータに対し、映像復号もしくは音声復号、あるいはその両方を行って映像信号／音声信号に変換し、
前記変換された映像信号／音声信号を表示／出力するとともに、
前記検波された復調信号から、一部の所定のセグメントを抽出し、
前記抽出されたセグメント信号に対し、変調方式に応じたマッピング信号点の判定を行い、参照信号に変換し、
前記抽出されたセグメント信号と、前記判定された参照信号と、に基づいて周波数特性を算出し、
前記算出された周波数特性に対して逆高速フーリエ変換（ＩＦＦＴ）を行い、第一の遅延プロファイルを示す時間領域信号に変換し、
前記ＦＦＴされた信号からＳＰ信号を抽出し、抽出したＳＰ信号に基づいて第二の遅延プロファイルを検出し、
前記第一の遅延プロファイル信号と、前記第二の遅延プロファイル信号のいずれかを選択し、
前記選択された遅延プロファイル信号に基づいて、前記ＦＦＴ処理されるべきベースバンドＯＦＤＭ信号の時間窓を設定するためのシンボルタイミングを制御する
ことを特徴とする受信方法。
【請求項２０】
直交周波数分割多重（ＯＦＤＭ）信号を受信する受信方法であって、
ＯＦＤＭ受信信号の選局を行い、
前記選局された受信信号をデジタル信号に変換し、
前記変換されたデジタル信号を直交検波してベースバンドＯＦＤＭ信号に変換し、
前記直交検波されたベースバンドＯＦＤＭ信号に対し高速フーリエ変換（ＦＦＴ）を行って、時間領域の信号から周波数領域の信号に変換し、
前記ＦＦＴされた信号に対し同期検波もしくは差動検波を行って復調し、
前記検波された復調信号に対し、誤り復号訂正を行い、
前記誤り復号訂正されたデジタルデータに対し、映像復号もしくは音声復号、あるいはその両方を行って映像信号／音声信号に変換し、
前記変換された映像信号／音声信号を表示／出力するとともに、
前記検波された復調信号から、一部の所定のセグメントを抽出し、
前記抽出されたセグメント信号に対し、変調方式に応じたマッピング信号点の判定を行い、参照信号に変換し、
前記抽出されたセグメント信号と、前記判定された参照信号と、に基づいて周波数特性を算出し、
前記算出された周波数特性に対して逆高速フーリエ変換（ＩＦＦＴ）を行い、第一の遅延プロファイルを示す時間領域信号に変換し、
前記ＦＦＴされた信号からＳＰ信号を抽出し、抽出したＳＰ信号に基づいて第二の遅延プロファイルを検出し、
前記誤り訂正の結果から、受信品質の良し悪しを判定し、
前記第一の遅延プロファイル信号と、前記第二の遅延プロファイル信号から、いずれかの遅延プロファイル信号に基づいて、前記ＦＦＴ処理されるべきベースバンドＯＦＤＭ信号の時間窓を設定するためのシンボルタイミングを制御するとともに、前記判定された受信品質信号に従い、受信品質が悪い場合には順次制御の基準信号を切り換えてゆき、受信品質がよい状態を保持するようにシンボルタイミングを制御する
ことを特徴とする受信方法。
【請求項２１】
直交周波数分割多重（ＯＦＤＭ）信号を受信して復調する集積回路であって、
受信信号をデジタル信号に変換するＡ／Ｄ変換手段と、
デジタル信号を直交検波しベースバンドＯＦＤＭ信号に変換する直交復調手段と、
前記直交復調手段からの信号に対し高速フーリエ変換を行い、時間領域の信号から周波数領域の信号に変換して出力するＦＦＴ手段と、
前記ＦＦＴ手段からの信号に対し同期検波もしくは差動検波を行い、復調された信号を出力する検波手段と、
前記検波手段で得られた復調信号に対し、誤り復号訂正を行う誤り訂正手段と、
前記検波手段で得られた復調信号から、一部の所定のセグメントを抽出する部分セグメント抽出手段と、
前記部分セグメント抽出手段で得られたセグメント信号に対し、変調方式に応じたマッピング信号点の判定を行い、参照信号として出力する参照信号判定手段と、
前記部分セグメント抽出手段で得られたセグメント信号と、前記参照信号判定手段で判定された参照信号と、に基づいて周波数特性を算出する周波数特性算出手段と、
前記周波数特性算出手段で得られた周波数特性に対して逆高速フーリエ変換を行い、遅延プロファイルを示す時間領域信号に変換して出力するＩＦＦＴ手段と、
前記ＩＦＦＴ手段で得られた遅延プロファイル信号に基づいて、前記ＦＦＴ手段において処理されるべきベースバンドＯＦＤＭ信号の時間窓を設定するためのシンボルタイミン  グを制御するシンボルタイミング制御手段と、
を具備することを特徴とする集積回路。
【請求項２２】
直交周波数分割多重（ＯＦＤＭ）信号を受信して復調する集積回路であって、
受信信号をデジタル信号に変換するＡ／Ｄ変換手段と、
デジタル信号を直交検波しベースバンドＯＦＤＭ信号に変換する直交復調手段と、
前記直交復調手段からの信号に対し高速フーリエ変換を行い、時間領域の信号から周波数領域の信号に変換して出力するＦＦＴ手段と、
前記ＦＦＴ手段からの信号に対し同期検波もしくは差動検波を行い、復調された信号を出力する検波手段と、
前記検波手段で得られた復調信号に対し、誤り復号訂正を行う誤り訂正手段と、
前記検波手段で得られた復調信号から、一部の所定のセグメントを抽出する部分セグメント抽出手段と、
前記部分セグメント抽出手段で得られたセグメント信号に対し、変調方式に応じたマッピング信号点の判定を行い、参照信号として出力する参照信号判定手段と、
前記部分セグメント抽出手段で得られたセグメント信号と、前記参照信号判定手段で判定された参照信号と、に基づいて周波数特性を算出する周波数特性算出手段と、
前記周波数特性算出手段で得られた周波数特性に対して逆高速フーリエ変換を行い、遅延プロファイルを示す時間領域信号に変換して出力するＩＦＦＴ手段と、
前記ＦＦＴ手段で得られたキャリア信号からＳＰ信号を抽出し、抽出したＳＰ信号に基づいて遅延プロファイルを検出して出力するＳＰ信号遅延プロファイル検出手段と、
前記ＳＰ信号遅延プロファイル検出手段で得られた遅延プロファイル信号、前記ＩＦＦＴ手段で得られた遅延プロファイル信号の、いずれかの遅延プロファイルを選択して出力する選択手段と、
前記選択手段で選択された遅延プロファイル信号に基づいて、前記ＦＦＴ手段において処理されるべきベースバンドＯＦＤＭ信号の時間窓を設定するためのシンボルタイミングを制御するシンボルタイミング制御手段と、
を具備することを特徴とする集積回路。
【請求項２３】
直交周波数分割多重（ＯＦＤＭ）信号を受信して復調する集積回路であって、
受信信号をデジタル信号に変換するＡ／Ｄ変換手段と、
デジタル信号を直交検波しベースバンドＯＦＤＭ信号に変換する直交復調手段と、
前記直交復調手段からの信号に対し高速フーリエ変換を行い、時間領域の信号から周波数領域の信号に変換して出力するＦＦＴ手段と、
前記ＦＦＴ手段からの信号に対し同期検波もしくは差動検波を行い、復調された信号を出力する検波手段と、
前記検波手段で得られた復調信号に対し、誤り復号訂正を行う誤り訂正手段と、
前記検波手段で得られた復調信号から、一部の所定のセグメントを抽出する部分セグメント抽出手段と、
前記部分セグメント抽出手段で得られたセグメント信号に対し、変調方式に応じたマッピング信号点の判定を行い、参照信号として出力する参照信号判定手段と、
前記部分セグメント抽出手段で得られたセグメント信号と、前記参照信号判定手段で判定された参照信号と、に基づいて周波数特性を算出する周波数特性算出手段と、
前記周波数特性算出手段で得られた周波数特性に対して逆高速フーリエ変換を行い、遅延プロファイルを示す時間領域信号に変換して出力するＩＦＦＴ手段と、
前記ＦＦＴ手段で得られたキャリア信号からＳＰ信号を抽出し、抽出したＳＰ信号に基づいて遅延プロファイルを検出して出力するＳＰ信号遅延プロファイル検出手段と、
前記誤り訂正手段で得られた誤り訂正の結果から、受信品質の良し悪しを判定して出力する受信品質判定手段と、
前記ＳＰ信号遅延プロファイル検出手段で得られた遅延プロファイル信号、前記ＩＦＦＴ手段で得られた遅延プロファイル信号から、いずれかの遅延プロファイル信号に基づいて、前記ＦＦＴ手段において処理されるべきベースバンドＯＦＤＭ信号の時間窓を設定するためのシンボルタイミングを制御するとともに、前記受信品質判定手段からの受信品質判定信号に従い、受信品質が悪い場合には順次制御の基準信号を切り換えてゆき、受信品質がよい状態を保持するようにシンボルタイミングを制御するシンボルタイミング制御手段と、
を具備することを特徴とする集積回路。
【請求項２４】
直交周波数分割多重（ＯＦＤＭ）信号を受信して復調する復調方法であって、
受信信号をデジタル信号に変換し、
前記変換されたデジタル信号を直交検波してベースバンドＯＦＤＭ信号に変換し、
前記直交検波されたベースバンドＯＦＤＭ信号に対し高速フーリエ変換（ＦＦＴ）を行って、時間領域の信号から周波数領域の信号に変換し、
前記ＦＦＴされた信号に対し同期検波もしくは差動検波を行って復調し、
前記検波された復調信号に対し、誤り復号訂正を行うとともに、
前記検波された復調信号から、一部の所定のセグメントを抽出し、
前記抽出されたセグメント信号に対し、変調方式に応じたマッピング信号点の判定を行い、参照信号に変換し、
前記抽出されたセグメント信号と、前記判定された参照信号と、に基づいて周波数特性を算出し、
前記算出された周波数特性に対して逆高速フーリエ変換（ＩＦＦＴ）を行い、遅延プロファイルを示す時間領域信号に変換し、
前記ＩＦＦＴされた遅延プロファイル信号に基づいて、前記ＦＦＴ処理されるべきベースバンドＯＦＤＭ信号の時間窓を設定するためのシンボルタイミングを制御する
ことを特徴とする復調方法。
【請求項２５】
直交周波数分割多重（ＯＦＤＭ）信号を受信して復調する復調方法であって、
受信信号をデジタル信号に変換し、
前記変換されたデジタル信号を直交検波してベースバンドＯＦＤＭ信号に変換し、
前記直交検波されたベースバンドＯＦＤＭ信号に対し高速フーリエ変換（ＦＦＴ）を行って、時間領域の信号から周波数領域の信号に変換し、
前記ＦＦＴされた信号に対し同期検波もしくは差動検波を行って復調し、
前記検波された復調信号に対し、誤り復号訂正を行うとともに、
前記検波された復調信号から、一部の所定のセグメントを抽出し、
前記抽出されたセグメント信号に対し、変調方式に応じたマッピング信号点の判定を行い、参照信号に変換し、
前記抽出されたセグメント信号と、前記判定された参照信号と、に基づいて周波数特性を算出し、
前記算出された周波数特性に対して逆高速フーリエ変換（ＩＦＦＴ）を行い、第一の遅延プロファイルを示す時間領域信号に変換し、
前記ＦＦＴされた信号からＳＰ信号を抽出し、抽出したＳＰ信号に基づいて第二の遅延プロファイルを検出し、
前記第一の遅延プロファイル信号と、前記第二の遅延プロファイル信号のいずれかを選択し、
前記選択された遅延プロファイル信号に基づいて、前記ＦＦＴ処理されるべきベースバンドＯＦＤＭ信号の時間窓を設定するためのシンボルタイミングを制御する
ことを特徴とする復調方法。
【請求項２６】
直交周波数分割多重（ＯＦＤＭ）信号を受信して復調する復調方法であって、
受信信号をデジタル信号に変換し、
前記変換されたデジタル信号を直交検波してベースバンドＯＦＤＭ信号に変換し、
前記直交検波されたベースバンドＯＦＤＭ信号に対し高速フーリエ変換（ＦＦＴ）を行って、時間領域の信号から周波数領域の信号に変換し、
前記ＦＦＴされた信号に対し同期検波もしくは差動検波を行って復調し、
前記検波された復調信号に対し、誤り復号訂正を行うとともに、
前記検波された復調信号から、一部の所定のセグメントを抽出し、
前記抽出されたセグメント信号に対し、変調方式に応じたマッピング信号点の判定を行い、参照信号に変換し、
前記抽出されたセグメント信号と、前記判定された参照信号と、に基づいて周波数特性を算出し、
前記算出された周波数特性に対して逆高速フーリエ変換（ＩＦＦＴ）を行い、第一の遅延プロファイルを示す時間領域信号に変換し、
前記ＦＦＴされた信号からＳＰ信号を抽出し、抽出したＳＰ信号に基づいて第二の遅延プロファイルを検出し、
前記誤り訂正の結果から、受信品質の良し悪しを判定し、
前記第一の遅延プロファイル信号と、前記第二の遅延プロファイル信号から、いずれかの遅延プロファイル信号に基づいて、前記ＦＦＴ処理されるべきベースバンドＯＦＤＭ信号の時間窓を設定するためのシンボルタイミングを制御するとともに、前記判定された受信品質信号に従い、受信品質が悪い場合には順次制御の基準信号を切り換えてゆき、受信品質がよい状態を保持するようにシンボルタイミングを制御する
ことを特徴とする復調方法。
【請求項２７】
直交周波数分割多重（ＯＦＤＭ）信号を受信して解析する解析装置であって、
選局を行うチューナ手段と、
受信信号をデジタル信号に変換するＡ／Ｄ変換手段と、
デジタル信号を直交検波しベースバンドＯＦＤＭ信号に変換する直交復調手段と、
前記直交復調手段からの信号に対し高速フーリエ変換を行い、時間領域の信号から周波数領域の信号に変換して出力するＦＦＴ手段と、
前記ＦＦＴ手段からの信号に対し同期検波もしくは差動検波を行い、復調された信号を出力する検波手段と、
前記検波手段で得られた復調信号から、一部の所定のセグメントを抽出する部分セグメント抽出手段と、
前記部分セグメント抽出手段で得られたセグメント信号に対し、変調方式に応じたマッピング信号点の判定を行い、参照信号として出力する参照信号判定手段と、
前記部分セグメント抽出手段で得られたセグメント信号と、前記参照信号判定手段で判定された参照信号と、に基づいて周波数特性を算出する周波数特性算出手段と、
前記周波数特性算出手段で得られた周波数特性に対して逆高速フーリエ変換を行い、遅延プロファイルを示す時間領域信号に変換して出力するＩＦＦＴ手段と、
前記ＩＦＦＴ手段で得られた遅延プロファイル信号を表示出力する出力手段と、
を具備することを特徴とする解析装置。
【請求項２８】
直交周波数分割多重（ＯＦＤＭ）信号を受信して解析する解析装置であって、
選局を行うチューナ手段と、
受信信号をデジタル信号に変換するＡ／Ｄ変換手段と、
デジタル信号を直交検波しベースバンドＯＦＤＭ信号に変換する直交復調手段と、
前記直交復調手段からの信号に対し高速フーリエ変換を行い、時間領域の信号から周波数領域の信号に変換して出力するＦＦＴ手段と、
前記ＦＦＴ手段からの信号に対し同期検波もしくは差動検波を行い、復調された信号を出力する検波手段と、
前記検波手段で得られた復調信号から、一部の所定のセグメントを抽出する部分セグメント抽出手段と、
前記部分セグメント抽出手段で得られたセグメント信号に対し、変調方式に応じたマッピング信号点の判定を行い、参照信号として出力する参照信号判定手段と、
前記部分セグメント抽出手段で得られたセグメント信号と、前記参照信号判定手段で判定された参照信号と、に基づいて周波数特性を算出する周波数特性算出手段と、
前記周波数特性算出手段で得られた周波数特性に対して逆高速フーリエ変換を行い、遅延プロファイルを示す時間領域信号に変換して出力するＩＦＦＴ手段と、
前記ＦＦＴ手段で得られたキャリア信号からＳＰ信号を抽出し、抽出したＳＰ信号に基づいて遅延プロファイルを検出して出力するＳＰ信号遅延プロファイル検出手段と、
前記ＳＰ信号遅延プロファイル検出手段で得られた遅延プロファイル信号、前記ＩＦＦＴ手段で得られた遅延プロファイル信号の、いずれかの遅延プロファイルを選択して出力する選択手段と、
前記選択手段で選択された遅延プロファイル信号を表示出力する出力手段と、
を具備することを特徴とする解析装置。
【請求項２９】
直交周波数分割多重（ＯＦＤＭ）信号を受信して遅延プロファイルを検出する方法であって、
ＯＦＤＭ受信信号の選局を行い、
前記選局された受信信号をデジタル信号に変換し、
前記変換されたデジタル信号を直交検波してベースバンドＯＦＤＭ信号に変換し、
前記直交検波されたベースバンドＯＦＤＭ信号に対し高速フーリエ変換（ＦＦＴ）を行って、時間領域の信号から周波数領域の信号に変換し、
前記ＦＦＴされた信号に対し同期検波もしくは差動検波を行って復調し、
前記検波された復調信号から、一部の所定のセグメントを抽出し、
前記抽出されたセグメント信号に対し、変調方式に応じたマッピング信号点の判定を行い、参照信号に変換し、
前記抽出されたセグメント信号と、前記判定された参照信号と、に基づいて周波数特性を算出し、
前記算出された周波数特性に対して逆高速フーリエ変換（ＩＦＦＴ）を行い、遅延プロファイルを示す時間領域信号に変換する
ことを特徴とする遅延プロファイル検出方法。
【請求項３０】
直交周波数分割多重（ＯＦＤＭ）信号を受信して遅延プロファイルを検出する方法であって、
ＯＦＤＭ受信信号の選局を行い、
前記選局された受信信号をデジタル信号に変換し、
前記変換されたデジタル信号を直交検波してベースバンドＯＦＤＭ信号に変換し、
前記直交検波されたベースバンドＯＦＤＭ信号に対し高速フーリエ変換（ＦＦＴ）を行って、時間領域の信号から周波数領域の信号に変換し、
前記ＦＦＴされた信号に対し同期検波もしくは差動検波を行って復調し、
前記検波された復調信号から、一部の所定のセグメントを抽出し、
前記抽出されたセグメント信号に対し、変調方式に応じたマッピング信号点の判定を行い、参照信号に変換し、
前記抽出されたセグメント信号と、前記判定された参照信号と、に基づいて周波数特性を算出し、
前記算出された周波数特性に対して逆高速フーリエ変換（ＩＦＦＴ）を行い、第一の遅延プロファイルを示す時間領域信号に変換し、
前記ＦＦＴされた信号からＳＰ信号を抽出し、抽出したＳＰ信号に基づいて第二の遅延プロファイルを検出し、
前記第一の遅延プロファイル信号と、前記第二の遅延プロファイル信号のいずれかを選択する
ことを特徴とする遅延プロファイル検出方法。
【発明の詳細な説明】
【技術分野】
【０００１】
本発明は、直交周波数分割多重（Ｏｒｔｈｏｇｏｎａｌ  Ｆｌｅｑｕｅｎｃｙ  Ｄｉｖｉｓｉｏｎ  Ｍｕｌｔｉｐｌｅｘｉｎｇ、以下、ＯＦＤＭという）方式を用いたデジタル放送の受信装置と、特にこの受信装置に用いられる遅延プロファイル検出方法に関するものである。
【背景技術】
【０００２】
日本の地上デジタルテレビジョン放送方式はＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ）と呼ばれ、変調方式としてＯＦＤＭを採用している。ＯＦＤＭは複数のキャリアを利用したマルチキャリアの変調方式である。ＩＳＤＢ−Ｔの信号形式は帯域幅６／１４ＭＨｚのＯＦＤＭセグメントで構成される。１３個のＯＦＤＭセグメントを用いると地上デジタルテレビジョン放送の伝送方式となり、１個又は３個のＯＦＤＭセグメントを用いると地上デジタル音声放送の伝送方式となる。
【０００３】
ＩＳＤＢ−Ｔでは、キャリア変調方式や畳込み符号化率などの組み合わせを変えて最大３階層までの階層伝送を行うことができる。各階層は複数のセグメントにより構成される。キャリア変調方式には、差動変調であるＤＱＰＳＫ（Ｄｉｆｆｅｒｅｎｔｉａｌ
Ｑｕａｔｅｒｎａｒｙ  Ｐｈａｓｅ  Ｓｈｉｆｔ  Ｋｅｙｉｎｇ）、同期変調であるＱＰＳＫ（Ｑｕａｔｅｒｎａｒｙ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭがある。
【０００４】
２００６年４月からは、この階層伝送方式を用いた、いわゆる「ワンセグ」が本放送を開始する。ワンセグとは、地上デジタル放送のモバイル機器向け放送のことで、地上デジタル放送の番組が、携帯電話などを使って、外出先・通勤途中で楽しめるサービスとなっている。モバイル機器（主に携帯電話）向けの階層は画面が小さく低画質・低音質でよいため、１セグメントが割り当てられており、1セグメント放送すなわち「ワンセグ」と呼称される。「ワンセグ」の割り当てられた階層はＱＰＳＫ変調方式が用いられており、固定受信向けの階層（１２セグメント、６４ＱＡＭ変調）に比べ、高い受信誤り耐性を持っている。
【０００５】
またＩＳＤＢ−Ｔには、キャリア本数の違いにより３種類のモードがある。１つのＯＦＤＭセグメントあたりのキャリア本数は、モード１では１０８本、モード２では２１６本、モード３では４３２本である。キャリア間隔はそれぞれ、２５０／６３ｋＨｚ、１２５／６３ｋＨｚ、１２５／１２６ｋＨｚである。有効シンボル長Ｔｕはキャリア間隔の逆数であり、それぞれ、２５２μs、５０４μs 、１００８μsである。有効シンボルに付随して、ガードインターバルという干渉を緩和する時間があり、有効シンボルとガードインターバルを合わせてシンボルと呼ぶ。ガードインターバル長Ｔｇは、有効シンボル長の１／４、１／８、１／１６、１／３２と４種類ある。１フレームは２０４シンボルからなるため、１フレーム長は、ガードインターバル長を１／４とすると、モード１では６４．２６ｍｓ、モード２では１２８．５２ｍｓ、モード３では２５７．０４ｍｓとなる。ガードインターバルは、有効シンボルデータのうち、時間的に後端のガードインターバル長に相当するデータを、そのままコピーして、有効シンボルの前に付加する。
【０００６】
図８に、地上デジタル放送方式におけるモード１の同期変調部のＯＦＤＭセグメントの構成を示す。ＯＦＤＭセグメントの構成には、ＳＰ（Ｓｃａｔｔｅｒｅｄ  Ｐｉｌｏｔ）信号と呼ばれるパイロット信号が存在する。ＳＰ信号は図８に示したように、周波数方向に１２キャリアに１回、シンボル方向に４シンボルに１回挿入されている。このＳＰ信号は、受信機で波形等化する際の伝送路特性を推定するために用いられ、データ信号の変調方式が同期変調のＯＦＤＭセグメントに挿入される。
【０００７】
またＯＦＤＭセグメントの構成には、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号と呼ばれる制御情報を伝送するためのキャリア（キャリア信号）が存在する。同期変調部のＯＦ
ＤＭセグメント構成においては、ＴＭＣＣ信号のキャリア本数は、モード１では１本、モード２では２本、モード３では４本である。また、差動変調部のＯＦＤＭセグメント構成においては、ＴＭＣＣ信号のキャリア本数は、モード１では５本、モード２では１０本、モード３では２０本である。伝送される制御情報としては、前述の階層伝送の構成や、各階層で用いられている変調方式などの伝送パラメータが含まれる（例えば、非特許文献１参照）。
【０００８】
さらにＩＳＤＢ−Ｔでは、送信周波数帯域を有効利用する技術としてＳＦＮ（Ｓｉｎｇｌｅ  Ｆｒｅｑｕｅｎｃｙ  Ｎｅｔｗｏｒｋ）が用いられている。ＳＦＮとは、同じプログラムを同一の周波数（チャネル）で中継伝送したり、複数局で同時放送する方式である。従来の中継システムでは、異なるチャネルを用いて同一チャネル間干渉を避けていた。しかし、このような従来の方式では、一つのプログラムを放送するために多くのチャネルを使用することとなり周波数帯を多く占有してしまう。これに対して、ＳＦＮは、一つのチャネルで広範囲をカバーすることができ、複数の放送局から同一の送信周波数で同一のプログラム（同一変調内容）を放送するネットワークである。この場合隣接するエリアでの相互干渉が問題となるが、ＯＦＤＭ伝送方式を用いることにより、複数局から送信した同一プログラム放送を、復調時にマルチパス伝送路からの信号と見なせる。各受信信号の遅延時間が許容範囲であれば、複数の信号が加算的に受信強度に寄与する。ここで遅延時間の許容範囲は、原理的には、前述のガードインターバル長と等しく、ＳＦＮ送信を実施する場合には、各送信局からの送信信号間の遅延時間が、少なくともガードインターバル長以内に収まるように、ＳＦＮを構成する送信局間の信号遅延を調整することが必要となる。
【０００９】
ＯＦＤＭ伝送方式では、送信装置において、伝送対象のデータ系列を所定数のキャリアデータ系列に直並列変換した後、前記各種変調方式で変調し、変調信号を所定の有効シンボル長周期で逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）してＯＦＤＭ信号を生成し送信する。一方受信装置では、受信したＯＦＤＭ信号を前記有効シンボル長周期で高速フーリエ変換（ＦＦＴ：Ｆａｓｔ  Ｆｏｕｒｉｅｒ  Ｔｒａｎｓｆｏｒｍ）して前記キャリアデータ系列を再生し、これらを並直列変換して復調データ系列を得る。従って、受信装置においてＦＦＴ処理の時間枠（以下、時間窓と呼ぶ）を適切に設定するために、受信したＯＦＤＭ信号のシンボルタイミングを精度良く検出する必要がある。
【００１０】
そこで従来のＯＦＤＭ伝送システムでは、受信装置において、前記ガードインターバルのデータが、有効シンボルのデータと同一であることを利用して、前記ＯＦＤＭ変調信号から自己相関値を算出し、前記相関値に基づきシンボルタイミングを検出する手法が広く用いられている（例えば、特許文献１参照）。
また、特許文献１に示されるシンボルタイミング検出方式では検出が難しい、相対電力の小さなマルチパスを検出するために、受信信号をＦＦＴした後、前記ＳＰ信号を抽出し、抽出されたＳＰ信号に基づいて伝搬路の周波数特性を算出し、前記周波数特性をＩＦＦＴして遅延プロファイルを検出し、遅延プロファイルに基づいてシンボルタイミングを制御する手法もまたよく知られている。
【００１１】
ここで、ＳＰ信号は１２キャリアに１回の割合で配置されているため、１シンボル分のＳＰ信号を用いて周波数特性を算出すれば、サンプリング定理により、遅延プロファイルとして検出可能な遅延時間の範囲は、有効シンボル長Ｔｕの１／１２となる。しかし通常は、４シンボル分のＳＰ信号を用いて周波数特性を算出することにより、３キャリアに１回の割合となり、遅延プロファイルとして検出可能な遅延時間の範囲も、有効シンボル長Ｔｕの１／３となる。希望波を中心に、前後均等に先行波、遅延波を考慮するとすれば、±Ｔｕ／６となる。１２キャリアに１回のＳＰ信号を用いた場合のサンプリング間隔と、遅延プロファイル検出範囲との関係を図９（ａ）に、４シンボル分すなわち３キャリアに１回のＳＰ信号を用いた場合のサンプリング間隔と、遅延プロファイル検出範囲との関係を図９（ｂ）に示す。
【００１２】
受信回路の構成としては、受信開始当初のシンボルタイミング初期値として、相関値に基づくシンボルタイミングを使用し、遅延プロファイルに基づいてシンボルタイミングを補正制御する構成が一般的である（例えば、特許文献２参照）。
以下では、特許文献２の方法による受信装置の構成例を、図７を参照して説明する。
ＦＦＴ部９０５は、受信信号に対し高速フーリエ変換を行い、時間領域の信号から周波数領域の信号、即ち複数のキャリア信号に変換して検波部に出力する。
【００１３】
相関算出部９０９は、受信信号と、受信信号に対してシンボル長Ｔｕ相当の遅延を加えた遅延信号との相関を算出する。
シンボルタイミング制御部９１０は、相関算出部９０９からの相関信号、およびＳＰ信号遅延プロファイル検出部８０１からの遅延プロファイル信号に基づいて、ＦＦＴ部９０５において処理されるべき受信信号の時間窓を設定するためのシンボルタイミングを制御して、出力する。
【００１４】
ＳＰ信号遅延プロファイル検出部８０１は、ＳＰ信号抽出部８０２と、ＳＰ信号発生部８０３と、周波数特性算出部８０４と、ＩＦＦＴ部８０５と、から構成され、ＦＦＴ部９０５で得られたキャリア信号から遅延プロファイルを検出する。
ＳＰ信号抽出部８０２は、ＦＦＴ部９０５で得られたキャリア信号から、ＳＰ信号を抽出する。
【００１５】
ＳＰ信号発生部８０３は、送信／受信双方で既知であるＳＰ信号の系列を生成して出力する。
周波数特性算出部８０４は、ＳＰ信号抽出部８０２で抽出されたＳＰ信号と、ＳＰ信号発生部８０３で生成された既知のＳＰ信号と、に基づいて周波数特性を算出する。原理的には、キャリア信号を参照信号で除算することで算出することができる。またここで、前述の通り、４シンボル分の周波数特性を蓄積したり、時間方向に補間する演算処理を用いることで、周波数特性が３キャリアに１キャリアの割合で得られる。
【００１６】
ＩＦＦＴ部８０５は、周波数特性算出部８０４で算出された周波数特性に対して逆高速フーリエ変換を行い、遅延プロファイルを示す時間領域信号に変換して出力する。
また、前記シンボルタイミング制御部９１０において、遅延プロファイル信号に基づき、ＦＦＴ部９０５において処理されるべき受信信号の時間窓を設定する方法として、バスタブ特性を逆さにした富士山型の曲線であるＧＩ超マスク特性を用いる制御方法が提案されている（例えば、非特許文献２参照）。
【００１７】
バスタブ特性とは、ＯＦＤＭの復調において、遅延波の遅延時間とガードインターバルの関係を示す特性の通称であり、ＯＦＤＭの復調特性がガードインターバルを越える遅延波によって劣化するが、その特性を遅延波の遅延時間と所要Ｄ／Ｕ比で示した時にバスタブの形に似ていることから、そう呼ばれる。ＧＩ超マスク特性は、バスタブ特性の逆数（ｄＢ値を正負反転したもの）で、許容できる遅延波の最大値を示すものである。このマスクよりレベルの大きい遅延波が存在する場合は受信不能となるため、受信装置においては、各遅延波がこのマスクを超えることがないようにＦＦＴ時間窓を適切に制御する必要がある。さらに、マスク値に近い大きさの遅延波が複数存在する場合には、個々の遅延波がマスク内に収まったとしても受信可能になるとは限らない。
【００１８】
非特許文献２の方法について、図１２を参照して説明する。
マスクとの余裕状況を表す指標として、各遅延波とマスクとのｄＢ差分を不良電力と定義する。この不良電力が０ｄＢ以上となる場合は、遅延波がマスク値を超えていることになるため、受信不可となる。また、各遅延波に対する不良電力の総和が０ｄＢ以上となる場合は、遅延波総体がマスクを超えているものとみなせる。したがって、各遅延波について不良電力を求め、それらを総和したものが最小となるようなマスク位置（すなわち、ＦＦＴ時間窓）を最適位置として、シンボルタイミングを制御する。
【００１９】
また地上デジタル放送において、ＳＦＮが適用される地域では、電波の異常伝搬などにより、希望波送信局以外のＳＦＮ送信局からガードインターバル長を越える遅延時間差のマルチパス波が到来して、受信特性を劣化させる可能性があることが指摘されている。
この対策として、ガードインターバル長を越える遅延時間差のマルチパスを、ＦＦＴする前の時間領域において、適応フィルタにより等化する方法がある。この方法では、受信信号から伝搬路の周波数特性を算出し、前記周波数特性に基づいて、前記適応フィルタの係数を生成する。このとき、周波数特性を算出する際に、ＳＰ信号のみに基づいて算出を行うと、前述の特許文献２の方法と同様に、検出可能なマルチパスの遅延時間の範囲が有効シンボル長Ｔｕの１／３（±Ｔｕ／６）となる。そこで、ＳＰ信号のみならずデータ信号を含む全伝送キャリアに対して、判定を行って参照信号を求め、周波数特性を算出することにより、検出可能なマルチパスの遅延時間の範囲を有効シンボル長Ｔｕ（±Ｔｕ／２）まで拡張する方法が提案されている（例えば、非特許文献３参照）。全キャリアを用いた場合のサンプリング間隔と、遅延プロファイル検出範囲との関係を、図９（ｃ）に示す。
【００２０】
以下では、非特許文献３の方法による受信装置の構成例を、図１１を参照して説明する。
ＦＦＴ部９０５は、受信信号に対し高速フーリエ変換を行い、時間領域の信号から周波数領域の信号、即ち複数のキャリア信号に変換して出力する。
検波部９０６は、ＦＦＴ部９０５からの信号に対し同期検波もしくは差動検波を行い、復調された信号を誤り訂正部へ出力する。
【００２１】
適応フィルタ４０１は、受信信号に対し、フィルタ係数生成部４０２で得られたフィルタ係数を用いてフィルタ処理を行い、等化信号を生成する。
減算部４０６は、受信信号に対し、適応フィルタ４０１で得られた等化信号を減算して等化する。
フィルタ係数生成部４０２は、参照信号判定部４０３と、周波数特性算出部４０４と、フィルタ係数算出部４０５と、から構成され、検波部９０６で得られた信号から適応フィルタの係数を算出する。
【００２２】
参照信号判定部４０３は、検波部９０６で得られた全てのキャリア信号に対して、信号点の判定を行い、参照信号として出力する。
周波数特性算出部４０４は、検波部９０６で得られた復調信号と、参照信号判定部４０３で判定された参照信号と、に基づいて周波数特性を算出する。
フィルタ係数算出部４０５は、周波数特性算出部４０４で得られた周波数特性に基づいて、適応フィルタの係数を算出する。
【非特許文献１】「地上デジタルテレビジョン放送の伝送方式標準規格」、社団法人電波産業会、ＡＲＩＢ  ＳＴＤ−Ｂ３１  １．２版、平成１４年１月２４日策定
【特許文献１】特開２００１−２１７８０２号公報
【特許文献２】特開２００３―３１９００５号公報
【非特許文献２】「地上デジタルテレビジョン放送運用規定」、社団法人電波産業会、ＡＲＩＢ  ＴＲ−Ｂ１４  ２．５版、平成１７年９月２９日策定
【非特許文献３】「地上デジタル放送用ガードインターバル越えマルチパス等化器―全キャリアの判定値を用いたマルチパス等化―」、信学技報、ＡＰ２００２−８２、ｐｐ.１９−２４(Ｓｅｐ.２００２)
【発明の開示】
【発明が解決しようとする課題】
【００２３】
前述した通り、特許文献２に示される遅延プロファイル検出方法は、ＳＰ信号を用いた周波数特性に基づいているため、前述の通り、検出可能な遅延時間の範囲は有効シンボル長Ｔｕの１／３（±Ｔｕ／６）となっており、地上デジタル放送において現在運用されているガードインターバル長１／８を考慮すると、必ずしも十分な検出性能とはいえない。
特に、検出可能な遅延時間の範囲を超えるマルチパス波が到来した場合、従来の遅延プロファイル検出方法では、サンプリングによる折り返しが検出時間範囲内に発生する場合がある。サンプリングによる折り返しについて、図１０（ａ）を参照しつつ説明する。希望波３０１、および希望波３０１に対してＴｕ／４の時間差の遅延波３１１が存在した場合、遅延プロファイルには、これらの信号に加え、希望波３０１の折り返し信号３０２、３０３、３０４、…、および、遅延波３１１の折り返し信号３１２、３１３、３１４、…、が、Ｔｕ／３ごとに繰り返し現れる。ここで、遅延プロファイルの検出範囲を先行方向・遅延方向で均等にとった場合、遅延波の折り返し信号３１５は、希望波３０１に対してＴｕ／１２の時間差の先行波として現れる。また、検出されることが望ましい本来の遅延波３１１は、検出されない。これにより、遅延波に対して行うべきシンボルタイミングの制御の方向を、先行波に対して行ってしまうこととなり、受信性能に多大な悪影響を与える。
【００２４】
また、非特許文献３に示されるマルチパス等化方法は、データ信号を含む全伝送キャリアを用いた周波数特性に基づいているため、等化可能なマルチパス遅延時間の範囲は有効シンボル長Ｔｕ（±Ｔｕ／２）と等しい。しかしながら、データ信号を含む全伝送キャリアの判定値を参照信号として用いていることから、キャリア判定に誤りを生じる受信環境においては、周波数特性の推定精度が劣化することが想定される。
【００２５】
特に、現在のＩＳＤＢ−Ｔの運用において、固定受信向けに放送されている６４ＱＡＭ変調方式の階層を受信する場合に、受信可能限界に近い受信状況では、キャリア判定に頻繁に誤りを生じることにより、周波数特性の推定精度が大幅に劣化する。
本発明は、ガードインターバルを大きく越える遅延時間差のマルチパス波が到来した場合でも、サンプリングの折り返しによる検出の誤りを起こすことなく、信頼性の高い遅延プロファイルを検出することのできる遅延プロファイル検出方法を実現することを目的とする。またこの検出方法を具体化するための遅延プロファイル検出回路、及びこの遅延プロファイル検出方法を用いた地上デジタル放送の受信装置を提供することを目的とする。
【課題を解決するための手段】
【００２６】
本願の請求項１の発明は、直交周波数分割多重（ＯＦＤＭ）信号を受信する受信装置であって、選局を行うチューナ手段と、受信信号をデジタル信号に変換するＡ／Ｄ変換手段と、デジタル信号を直交検波しベースバンドＯＦＤＭ信号に変換する直交復調手段と、前記直交復調手段からの信号に対し高速フーリエ変換を行い、時間領域の信号から周波数領域の信号に変換して出力するＦＦＴ手段と、前記ＦＦＴ手段からの信号に対し同期検波もしくは差動検波を行い、復調された信号を出力する検波手段と、前記検波手段で得られた復調信号に対し、誤り復号訂正を行う誤り訂正手段と、前記誤り訂正手段で得られたデジタルデータに対し、映像復号もしくは音声復号、あるいはその両方を行い、映像信号／音声信号を出力するデータ復号手段と、前記データ復号手段で得られた映像信号／音声信号を表示出力する表示手段およびスピーカ手段と、前記検波手段で得られた復調信号に対し、変調方式に応じたマッピング信号点の判定を行い、参照信号として出力する参照信号判定手段と、前記検波手段で得られた復調信号と、前記参照信号判定手段で判定された参照信号と、に基づいて周波数特性を算出する周波数特性算出手段と、前記周波数特性算出手段で得られた周波数特性に対して逆高速フーリエ変換を行い、遅延プロファイルを示す時間領域信号に変換して出力するＩＦＦＴ手段と、前記ＩＦＦＴ手段で得られた遅延プロファイル信号に基づいて、前記ＦＦＴ手段において処理されるべきベースバンドＯＦＤＭ信号の時間窓を設定するためのシンボルタイミングを制御するシンボルタイミング制御手段と、を具備することを特徴とする。
【００２７】
本願の請求項２の発明は、請求項１記載の受信装置において、前記ＦＦＴ手段で得られた信号から、伝送制御信号を抽出し、各種伝送パラメータを検出して出力する伝送パラメータ検出手段をさらに具備し、前記参照信号判定手段は、前記検波手段で得られた復調信号の各々のキャリア信号に対し、前記伝送パラメータ検出手段で検出された伝送パラメータに従い、変調方式に応じたマッピング信号点の判定を行い、参照信号として出力することを特徴とする。
【００２８】
本願の請求項３の発明は、直交周波数分割多重（ＯＦＤＭ）信号を受信する受信装置であって、選局を行うチューナ手段と、受信信号をデジタル信号に変換するＡ／Ｄ変換手段と、デジタル信号を直交検波しベースバンドＯＦＤＭ信号に変換する直交復調手段と、前記直交復調手段からの信号に対し高速フーリエ変換を行い、時間領域の信号から周波数領域の信号に変換して出力するＦＦＴ手段と、前記ＦＦＴ手段からの信号に対し同期検波もしくは差動検波を行い、復調された信号を出力する検波手段と、前記検波手段で得られた復調信号に対し、誤り復号訂正を行う誤り訂正手段と、前記誤り訂正手段で得られたデジタルデータに対し、映像復号もしくは音声復号、あるいはその両方を行い、映像信号／音声信号を出力するデータ復号手段と、前記データ復号手段で得られた映像信号／音声信号を表示出力する表示手段およびスピーカ手段と、前記検波手段で得られた復調信号から、一部の所定のセグメントを抽出する部分セグメント抽出手段と、前記部分セグメント抽出手段で得られたセグメント信号に対し、変調方式に応じたマッピング信号点の判定を行い、参照信号として出力する参照信号判定手段と、前記部分セグメント抽出手段で得られたセグメント信号と、前記参照信号判定手段で判定された参照信号と、に基づいて周波数特性を算出する周波数特性算出手段と、前記周波数特性算出手段で得られた周波数特性に対して逆高速フーリエ変換を行い、遅延プロファイルを示す時間領域信号に変換して出力するＩＦＦＴ手段と、前記ＩＦＦＴ手段で得られた遅延プロファイル信号に基づいて、前記ＦＦＴ手段において処理されるべきベースバンドＯＦＤＭ信号の時間窓を設定するためのシンボルタイミングを制御するシンボルタイミング制御手段と、を具備することを特徴とする。
【００２９】
本願の請求項４の発明は、請求項３記載の受信装置において、前記部分セグメント抽出手段は、前記検波手段で得られた復調信号から、伝送スペクトル上で中央に位置する一つのセグメントを抽出することを特徴とする。
本願の請求項５の発明は、請求項３記載の受信装置において、前記部分セグメント抽出手段は、前記検波手段で得られた復調信号から、階層伝送に対応し、最も誤り耐性の高い変調方式で伝送された階層に属するセグメントを抽出することを特徴とする。
【００３０】
本願の請求項６の発明は、請求項３記載の受信装置において、前記ＦＦＴ手段で得られた信号から、伝送制御信号を抽出し、各種伝送パラメータを検出して出力する伝送パラメータ検出手段をさらに具備し、前記部分セグメント抽出手段は、前記検波手段で得られた復調信号から、前記伝送パラメータ検出手段で検出された伝送パラメータに従い、最も誤り耐性の高い変調方式で伝送された階層に属するセグメントを抽出し、前記参照信号判定手段は、前記部分セグメント抽出手段で得られたセグメント信号に対し、前記伝送パラメータ検出手段で検出された伝送パラメータに従い、変調方式に応じたマッピング信号点の判定を行い、参照信号として出力することを特徴とする。
【００３１】
本願の請求項７の発明は、直交周波数分割多重（ＯＦＤＭ）信号を受信する受信装置であって、選局を行うチューナ手段と、受信信号をデジタル信号に変換するＡ／Ｄ変換手段と、デジタル信号を直交検波しベースバンドＯＦＤＭ信号に変換する直交復調手段と、前記直交復調手段からの信号に対し高速フーリエ変換を行い、時間領域の信号から周波数領域の信号に変換して出力するＦＦＴ手段と、前記ＦＦＴ手段からの信号に対し同期検波もしくは差動検波を行い、復調された信号を出力する検波手段と、前記検波手段で得られた復調信号に対し、誤り復号訂正を行う誤り訂正手段と、前記誤り訂正手段で得られたデジタルデータに対し、映像復号もしくは音声復号、あるいはその両方を行い、映像信号／音声信号を出力するデータ復号手段と、前記データ復号手段で得られた映像信号／音声信号を表示出力する表示手段およびスピーカ手段と、前記検波手段で得られた復調信号に対し、変調方式に応じたマッピング信号点の判定を行い、参照信号として出力する第一の参照信号判定手段と、前記検波手段で得られた復調信号と、前記第一の参照信号判定手段で判定された参照信号と、に基づいて周波数特性を算出する第一の周波数特性算出手段と、前記第一の周波数特性算出手段で得られた周波数特性に対して逆高速フーリエ変換を行い、遅延プロファイルを示す時間領域信号に変換して出力する第一のＩＦＦＴ手段と、前記検波手段で得られた復調信号から、一部の所定のセグメントを抽出する部分セグメント抽出手段と、前記部分セグメント抽出手段で得られたセグメント信号に対し、変調方式に応じたマッピング信号点の判定を行い、参照信号として出力する第二の参照信号判定手段と、前記部分セグメント抽出手段で得られたセグメント信号と、前記第二の参照信号判定手段で判定された参照信号と、に基づいて周波数特性を算出する第二の周波数特性算出手段と、前記第二の周波数特性算出手段で得られた周波数特性に対して逆高速フーリエ変換を行い、遅延プロファイルを示す時間領域信号に変換して出力する第二のＩＦＦＴ手段と、前記ＦＦＴ手段で得られたキャリア信号からＳＰ信号を抽出し、抽出したＳＰ信号に基づいて遅延プロファイルを検出して出力するＳＰ信号遅延プロファイル検出手段と、前記ＳＰ信号遅延プロファイル検出手段で得られた遅延プロファイル信号、前記第一のＩＦＦＴ手段で得られた遅延プロファイル信号、前記第二のＩＦＦＴ手段で得られた遅延プロファイル信号の中から、いずれかの遅延プロファイルを選択して出力する選択手段と、前記選択手段で選択された遅延プロファイル信号に基づいて、前記ＦＦＴ手段において処理されるべきベースバンドＯＦＤＭ信号の時間窓を設定するためのシンボルタイミングを制御するシンボルタイミング制御手段と、を具備することを特徴とする。
【００３２】
本願の請求項８の発明は、直交周波数分割多重（ＯＦＤＭ）信号を受信する受信装置であって、選局を行うチューナ手段と、受信信号をデジタル信号に変換するＡ／Ｄ変換手段と、デジタル信号を直交検波しベースバンドＯＦＤＭ信号に変換する直交復調手段と、前記直交復調手段からの信号に対し高速フーリエ変換を行い、時間領域の信号から周波数領域の信号に変換して出力するＦＦＴ手段と、前記ＦＦＴ手段からの信号に対し同期検波もしくは差動検波を行い、復調された信号を出力する検波手段と、前記検波手段で得られた復調信号に対し、誤り復号訂正を行う誤り訂正手段と、前記誤り訂正手段で得られたデジタルデータに対し、映像復号もしくは音声復号、あるいはその両方を行い、映像信号／音声信号を出力するデータ復号手段と、前記データ復号手段で得られた映像信号／音声信号を表示出力する表示手段およびスピーカ手段と、前記検波手段で得られた復調信号に対し、変調方式に応じたマッピング信号点の判定を行い、参照信号として出力する第一の参照信号判定手段と、前記検波手段で得られた復調信号と、前記第一の参照信号判定手段で判定された参照信号と、に基づいて周波数特性を算出する第一の周波数特性算出手段と、前記第一の周波数特性算出手段で得られた周波数特性に対して逆高速フーリエ変換を行い、遅延プロファイルを示す時間領域信号に変換して出力する第一のＩＦＦＴ手段と、前記検波手段で得られた復調信号から、一部の所定のセグメントを抽出する部分セグメント抽出手段と、前記部分セグメント抽出手段で得られたセグメント信号に対し、変調方式に応じたマッピング信号点の判定を行い、参照信号として出力する第二の参照信号判定手段と、前記部分セグメント抽出手段で得られたセグメント信号と、前記第二の参照信号判定手段で判定された参照信号と、に基づいて周波数特性を算出する第二の周波数特性算出手段と、前記第二の周波数特性算出手段で得られた周波数特性に対して逆高速フーリエ変換を行い、遅延プロファイルを示す時間領域信号に変換して出力する第二のＩＦＦＴ手段と、前記第一のＩＦＦＴ手段で得られた遅延プロファイル信号、前記第二のＩＦＦＴ手段で得られた遅延プロファイル信号の、いずれかの遅延プロファイルを選択して出力する選択手段と、前記選択手段で選択された遅延プロファイル信号に基づいて、前記ＦＦＴ手段において処理されるべきベースバンドＯＦＤＭ信号の時間窓を設定するためのシンボルタイミングを制御するシンボルタイミング制御手段と、を具備することを特徴とする。
【００３３】
本願の請求項９の発明は、直交周波数分割多重（ＯＦＤＭ）信号を受信する受信装置であって、選局を行うチューナ手段と、受信信号をデジタル信号に変換するＡ／Ｄ変換手段と、デジタル信号を直交検波しベースバンドＯＦＤＭ信号に変換する直交復調手段と、前記直交復調手段からの信号に対し高速フーリエ変換を行い、時間領域の信号から周波数領域の信号に変換して出力するＦＦＴ手段と、前記ＦＦＴ手段からの信号に対し同期検波もしくは差動検波を行い、復調された信号を出力する検波手段と、前記検波手段で得られた復調信号に対し、誤り復号訂正を行う誤り訂正手段と、前記誤り訂正手段で得られたデジタルデータに対し、映像復号もしくは音声復号、あるいはその両方を行い、映像信号／音声信号を出力するデータ復号手段と、前記データ復号手段で得られた映像信号／音声信号を表示出力する表示手段およびスピーカ手段と、前記検波手段で得られた復調信号に対し、変調方式に応じたマッピング信号点の判定を行い、参照信号として出力する参照信号判定手段と、前記検波手段で得られた復調信号と、前記参照信号判定手段で判定された参照信号と、に基づいて周波数特性を算出する周波数特性算出手段と、前記周波数特性算出手段で得られた周波数特性に対して逆高速フーリエ変換を行い、遅延プロファイルを示す時間領域信号に変換して出力するＩＦＦＴ手段と、前記ＦＦＴ手段で得られたキャリア信号からＳＰ信号を抽出し、抽出したＳＰ信号に基づいて遅延プロファイルを検出して出力するＳＰ信号遅延プロファイル検出手段と、前記ＳＰ信号遅延プロファイル検出手段で得られた遅延プロファイル信号、前記ＩＦＦＴ手段で得られた遅延プロファイル信号の、いずれかの遅延プロファイルを選択して出力する選択手段と、前記選択手段で選択された遅延プロファイル信号に基づいて、前記ＦＦＴ手段において処理されるべきベースバンドＯＦＤＭ信号の時間窓を設定するためのシンボルタイミングを制御するシンボルタイミング制御手段と、を具備することを特徴とする。
【００３４】
本願の請求項１０の発明は、直交周波数分割多重（ＯＦＤＭ）信号を受信する受信装置であって、選局を行うチューナ手段と、受信信号をデジタル信号に変換するＡ／Ｄ変換手段と、デジタル信号を直交検波しベースバンドＯＦＤＭ信号に変換する直交復調手段と、前記直交復調手段からの信号に対し高速フーリエ変換を行い、時間領域の信号から周波数領域の信号に変換して出力するＦＦＴ手段と、前記ＦＦＴ手段からの信号に対し同期検波もしくは差動検波を行い、復調された信号を出力する検波手段と、前記検波手段で得られた復調信号に対し、誤り復号訂正を行う誤り訂正手段と、前記誤り訂正手段で得られたデジタルデータに対し、映像復号もしくは音声復号、あるいはその両方を行い、映像信号／音声信号を出力するデータ復号手段と、前記データ復号手段で得られた映像信号／音声信号を表示出力する表示手段およびスピーカ手段と、前記検波手段で得られた復調信号から、一部の所定のセグメントを抽出する部分セグメント抽出手段と、前記部分セグメント抽出手段で得られたセグメント信号に対し、変調方式に応じたマッピング信号点の判定を行い、参照信号として出力する参照信号判定手段と、前記部分セグメント抽出手段で得られたセグメント信号と、前記参照信号判定手段で判定された参照信号と、に基づいて周波数特性を算出する周波数特性算出手段と、前記周波数特性算出手段で得られた周波数特性に対して逆高速フーリエ変換を行い、遅延プロファイルを示す時間領域信号に変換して出力するＩＦＦＴ手段と、前記ＦＦＴ手段で得られたキャリア信号からＳＰ信号を抽出し、抽出したＳＰ信号に基づいて遅延プロファイルを検出して出力するＳＰ信号遅延プロファイル検出手段と、前記ＳＰ信号遅延プロファイル検出手段で得られた遅延プロファイル信号、前記ＩＦＦＴ手段で得られた遅延プロファイル信号の、いずれかの遅延プロファイルを選択して出力する選択手段と、前記選択手段で選択された遅延プロファイル信号に基づいて、前記ＦＦＴ手段において処理されるべきベースバンドＯＦＤＭ信号の時間窓を設定するためのシンボルタイミングを制御するシンボルタイミング制御手段と、を具備することを特徴とする。
【００３５】
本願の請求項１１の発明は、請求項７〜１０のいずれか１項記載の受信装置において、前記ＦＦＴ手段で得られた信号から、伝送制御信号を抽出し、各種伝送パラメータを検出して出力する伝送パラメータ検出手段をさらに具備し、前記選択手段は、前記伝送パラメータ検出手段で検出された伝送パラメータに従い、階層伝送の有無や各階層の変調方式に応じて、入力された複数の遅延プロファイル信号の中から、いずれかの遅延プロファイルを選択して出力することを特徴とする。
【００３６】
本願の請求項１２の発明は、直交周波数分割多重（ＯＦＤＭ）信号を受信する受信装置であって、選局を行うチューナ手段と、受信信号をデジタル信号に変換するＡ／Ｄ変換手段と、デジタル信号を直交検波しベースバンドＯＦＤＭ信号に変換する直交復調手段と、前記直交復調手段からの信号に対し高速フーリエ変換を行い、時間領域の信号から周波数領域の信号に変換して出力するＦＦＴ手段と、前記ＦＦＴ手段からの信号に対し同期検波もしくは差動検波を行い、復調された信号を出力する検波手段と、前記検波手段で得られた復調信号に対し、誤り復号訂正を行う誤り訂正手段と、前記誤り訂正手段で得られたデジタルデータに対し、映像復号もしくは音声復号、あるいはその両方を行い、映像信号／音声信号を出力するデータ復号手段と、前記データ復号手段で得られた映像信号／音声信号を表示出力する表示手段およびスピーカ手段と、前記検波手段で得られた復調信号に対し、変調方式に応じたマッピング信号点の判定を行い、参照信号として出力する第一の参照信号判定手段と、前記検波手段で得られた復調信号と、前記第一の参照信号判定手段で判定された参照信号と、に基づいて周波数特性を算出する第一の周波数特性算出手段と、前記第一の周波数特性算出手段で得られた周波数特性に対して逆高速フーリエ変換を行い、遅延プロファイルを示す時間領域信号に変換して出力する第一のＩＦＦＴ手段と、前記検波手段で得られた復調信号から、一部の所定のセグメントを抽出する部分セグメント抽出手段と、前記部分セグメント抽出手段で得られたセグメント信号に対し、変調方式に応じたマッピング信号点の判定を行い、参照信号として出力する第二の参照信号判定手段と、前記部分セグメント抽出手段で得られたセグメント信号と、前記第二の参照信号判定手段で判定された参照信号と、に基づいて周波数特性を算出する第二の周波数特性算出手段と、前記第二の周波数特性算出手段で得られた周波数特性に対して逆高速フーリエ変換を行い、遅延プロファイルを示す時間領域信号に変換して出力する第二のＩＦＦＴ手段と、前記ＦＦＴ手段で得られたキャリア信号からＳＰ信号を抽出し、抽出したＳＰ信号に基づいて遅延プロファイルを検出して出力するＳＰ信号遅延プロファイル検出手段と、前記誤り訂正手段で得られた誤り訂正の結果から、受信品質の良し悪しを判定して出力する受信品質判定手段と、前記ＳＰ信号遅延プロファイル検出手段で得られた遅延プロファイル信号、前記第一のＩＦＦＴ手段で得られた遅延プロファイル信号、前記第二のＩＦＦＴ手段で得られた遅延プロファイル信号の中から、いずれかの遅延プロファイル信号に基づいて、前記ＦＦＴ手段において処理されるべきベースバンドＯＦＤＭ信号の時間窓を設定するためのシンボルタイミングを制御するとともに、前記受信品質判定手段からの受信品質判定信号に従い、受信品質が悪い場合には順次制御の基準信号を切り換えてゆき、受信品質がよい状態を保持するようにシンボルタイミングを制御するシンボルタイミング制御手段と、を具備することを特徴とする。
【００３７】
本願の請求項１３の発明は、直交周波数分割多重（ＯＦＤＭ）信号を受信する受信装置であって、選局を行うチューナ手段と、受信信号をデジタル信号に変換するＡ／Ｄ変換手段と、デジタル信号を直交検波しベースバンドＯＦＤＭ信号に変換する直交復調手段と、前記直交復調手段からの信号に対し高速フーリエ変換を行い、時間領域の信号から周波数領域の信号に変換して出力するＦＦＴ手段と、前記ＦＦＴ手段からの信号に対し同期検波もしくは差動検波を行い、復調された信号を出力する検波手段と、前記検波手段で得られた復調信号に対し、誤り復号訂正を行う誤り訂正手段と、前記誤り訂正手段で得られたデジタルデータに対し、映像復号もしくは音声復号、あるいはその両方を行い、映像信号／音声信号を出力するデータ復号手段と、前記データ復号手段で得られた映像信号／音声信号を表示出力する表示手段およびスピーカ手段と、前記検波手段で得られた復調信号に対し、変調方式に応じたマッピング信号点の判定を行い、参照信号として出力する第一の参照信号判定手段と、前記検波手段で得られた復調信号と、前記第一の参照信号判定手段で判定された参照信号と、に基づいて周波数特性を算出する第一の周波数特性算出手段と、前記第一の周波数特性算出手段で得られた周波数特性に対して逆高速フーリエ変換を行い、遅延プロファイルを示す時間領域信号に変換して出力する第一のＩＦＦＴ手段と、前記検波手段で得られた復調信号から、一部の所定のセグメントを抽出する部分セグメント抽出手段と、前記部分セグメント抽出手段で得られたセグメント信号に対し、変調方式に応じたマッピング信号点の判定を行い、参照信号として出力する第二の参照信号判定手段と、前記部分セグメント抽出手段で得られたセグメント信号と、前記第二の参照信号判定手段で判定された参照信号と、に基づいて周波数特性を算出する第二の周波数特性算出手段と、前記第二の周波数特性算出手段で得られた周波数特性に対して逆高速フーリエ変換を行い、遅延プロファイルを示す時間領域信号に変換して出力する第二のＩＦＦＴ手段と、前記誤り訂正手段で得られた誤り訂正の結果から、受信品質の良し悪しを判定して出力する受信品質判定手段と、前記第一のＩＦＦＴ手段で得られた遅延プロファイル信号、前記第二のＩＦＦＴ手段で得られた遅延プロファイル信号から、いずれかの遅延プロファイル信号に基づいて、前記ＦＦＴ手段において処理されるべきベースバンドＯＦＤＭ信号の時間窓を設定するためのシンボルタイミングを制御するとともに、前記受信品質判定手段からの受信品質判定信号に従い、受信品質が悪い場合には順次制御の基準信号を切り換えてゆき、受信品質がよい状態を保持するようにシンボルタイミングを制御するシンボルタイミング制御手段と、を具備することを特徴とする。
【００３８】
本願の請求項１４の発明は、直交周波数分割多重（ＯＦＤＭ）信号を受信する受信装置であって、選局を行うチューナ手段と、受信信号をデジタル信号に変換するＡ／Ｄ変換手段と、デジタル信号を直交検波しベースバンドＯＦＤＭ信号に変換する直交復調手段と、前記直交復調手段からの信号に対し高速フーリエ変換を行い、時間領域の信号から周波数領域の信号に変換して出力するＦＦＴ手段と、前記ＦＦＴ手段からの信号に対し同期検波もしくは差動検波を行い、復調された信号を出力する検波手段と、前記検波手段で得られた復調信号に対し、誤り復号訂正を行う誤り訂正手段と、前記誤り訂正手段で得られたデジタルデータに対し、映像復号もしくは音声復号、あるいはその両方を行い、映像信号／音声信号を出力するデータ復号手段と、前記データ復号手段で得られた映像信号／音声信号を表示出力する表示手段およびスピーカ手段と、前記検波手段で得られた復調信号に対し、変調方式に応じたマッピング信号点の判定を行い、参照信号として出力する参照信号判定手段と、前記検波手段で得られた復調信号と、前記参照信号判定手段で判定された参照信号と、に基づいて周波数特性を算出する周波数特性算出手段と、前記周波数特性算出手段で得られた周波数特性に対して逆高速フーリエ変換を行い、遅延プロファイルを示す時間領域信号に変換して出力するＩＦＦＴ手段と、前記ＦＦＴ手段で得られたキャリア信号からＳＰ信号を抽出し、抽出したＳＰ信号に基づいて遅延プロファイルを検出して出力するＳＰ信号遅延プロファイル検出手段と、前記誤り訂正手段で得られた誤り訂正の結果から、受信品質の良し悪しを判定して出力する受信品質判定手段と、前記ＳＰ信号遅延プロファイル検出手段で得られた遅延プロファイル信号、前記ＩＦＦＴ手段で得られた遅延プロファイル信号から、いずれかの遅延プロファイル信号に基づいて、前記ＦＦＴ手段において処理されるべきベースバンドＯＦＤＭ信号の時間窓を設定するためのシンボルタイミングを制御するとともに、前記受信品質判定手段からの受信品質判定信号に従い、受信品質が悪い場合には順次制御の基準信号を切り換えてゆき、受信品質がよい状態を保持するようにシンボルタイミングを制御するシンボルタイミング制御手段と、を具備することを特徴とする。
【００３９】
本願の請求項１５の発明は、直交周波数分割多重（ＯＦＤＭ）信号を受信する受信装置であって、選局を行うチューナ手段と、受信信号をデジタル信号に変換するＡ／Ｄ変換手段と、デジタル信号を直交検波しベースバンドＯＦＤＭ信号に変換する直交復調手段と、前記直交復調手段からの信号に対し高速フーリエ変換を行い、時間領域の信号から周波数領域の信号に変換して出力するＦＦＴ手段と、前記ＦＦＴ手段からの信号に対し同期検波もしくは差動検波を行い、復調された信号を出力する検波手段と、前記検波手段で得られた復調信号に対し、誤り復号訂正を行う誤り訂正手段と、前記誤り訂正手段で得られたデジタルデータに対し、映像復号もしくは音声復号、あるいはその両方を行い、映像信号／音声信号を出力するデータ復号手段と、前記データ復号手段で得られた映像信号／音声信号を表示出力する表示手段およびスピーカ手段と、前記検波手段で得られた復調信号から、一部の所定のセグメントを抽出する部分セグメント抽出手段と、前記部分セグメント抽出手段で得られたセグメント信号に対し、変調方式に応じたマッピング信号点の判定を行い、参照信号として出力する参照信号判定手段と、前記部分セグメント抽出手段で得られたセグメント信号と、前記参照信号判定手段で判定された参照信号と、に基づいて周波数特性を算出する周波数特性算出手段と、前記周波数特性算出手段で得られた周波数特性に対して逆高速フーリエ変換を行い、遅延プロファイルを示す時間領域信号に変換して出力するＩＦＦＴ手段と、前記ＦＦＴ手段で得られたキャリア信号からＳＰ信号を抽出し、抽出したＳＰ信号に基づいて遅延プロファイルを検出して出力するＳＰ信号遅延プロファイル検出手段と、前記誤り訂正手段で得られた誤り訂正の結果から、受信品質の良し悪しを判定して出力する受信品質判定手段と、前記ＳＰ信号遅延プロファイル検出手段で得られた遅延プロファイル信号、前記ＩＦＦＴ手段で得られた遅延プロファイル信号から、いずれかの遅延プロファイル信号に基づいて、前記ＦＦＴ手段において処理されるべきベースバンドＯＦＤＭ信号の時間窓を設定するためのシンボルタイミングを制御するとともに、前記受信品質判定手段からの受信品質判定信号に従い、受信品質が悪い場合には順次制御の基準信号を切り換えてゆき、受信品質がよい状態を保持するようにシンボルタイミングを制御するシンボルタイミング制御手段と、を具備することを特徴とする。
【００４０】
本願の請求項１６の発明は、請求項１〜１５のいずれか１項記載の受信装置において、前記直交復調手段からの信号と、前記直交復調手段からの信号に対してシンボル長相当の遅延を加えた遅延信号との相関を算出する相関算出手段をさらに具備し、前記シンボルタイミング制御手段は、受信開始当初の初期段階では、前記相関算出手段からの相関信号に基づくシンボルタイミングの制御を行い、所定の時間の経過後、あるいは相関信号に基づくシンボルタイミング制御がある程度安定した時点で、任意の遅延プロファイル信号に基づくシンボルタイミングの制御に切り換えることを特徴とする。
【００４１】
本願の請求項１７の発明は、請求項１２〜１５のいずれか１項記載の受信装置において、前記直交復調手段からの信号と、前記直交復調手段からの信号に対してシンボル長相当の遅延を加えた遅延信号との相関を算出する相関算出手段をさらに具備し、前記シンボルタイミング制御手段は、前記相関算出手段からの相関信号、および任意の遅延プロファイル信号のいずれかに基づいて、前記ＦＦＴ手段において処理されるべきベースバンドＯＦＤＭ信号の時間窓を設定するためのシンボルタイミングを制御するとともに、前記受信品質判定手段からの受信品質判定信号に従い、受信品質が悪い場合には順次制御の基準信号を切り換えてゆき、受信品質がよい状態を保持するようにシンボルタイミングを制御することを特徴とする。
【００４２】
本願の請求項１８の発明は、直交周波数分割多重（ＯＦＤＭ）信号を受信する受信方法であって、ＯＦＤＭ受信信号の選局を行い、前記選局された受信信号をデジタル信号に変換し、前記変換されたデジタル信号を直交検波してベースバンドＯＦＤＭ信号に変換し、前記直交検波されたベースバンドＯＦＤＭ信号に対し高速フーリエ変換（ＦＦＴ）を行って、時間領域の信号から周波数領域の信号に変換し、前記ＦＦＴされた信号に対し同期検波もしくは差動検波を行って復調し、前記検波された復調信号に対し、誤り復号訂正を行い、前記誤り復号訂正されたデジタルデータに対し、映像復号もしくは音声復号、あるいはその両方を行って映像信号／音声信号に変換し、前記変換された映像信号／音声信号を表示出力するとともに、前記検波された復調信号から、一部の所定のセグメントを抽出し、前記抽出されたセグメント信号に対し、変調方式に応じたマッピング信号点の判定を行い、参照信号に変換し、前記抽出されたセグメント信号と、前記判定された参照信号と、に基づいて周波数特性を算出し、前記算出された周波数特性に対して逆高速フーリエ変換（ＩＦＦＴ）を行い、遅延プロファイルを示す時間領域信号に変換し、前記ＩＦＦＴされた遅延プロファイル信号に基づいて、前記ＦＦＴ処理されるべきベースバンドＯＦＤＭ信号の時間窓を設定するためのシンボルタイミングを制御することを特徴とする。
【００４３】
本願の請求項１９の発明は、直交周波数分割多重（ＯＦＤＭ）信号を受信する受信方法であって、ＯＦＤＭ受信信号の選局を行い、前記選局された受信信号をデジタル信号に変換し、前記変換されたデジタル信号を直交検波してベースバンドＯＦＤＭ信号に変換し、前記直交検波されたベースバンドＯＦＤＭ信号に対し高速フーリエ変換（ＦＦＴ）を行って、時間領域の信号から周波数領域の信号に変換し、前記ＦＦＴされた信号に対し同期検波もしくは差動検波を行って復調し、前記検波された復調信号に対し、誤り復号訂正を行い、前記誤り復号訂正されたデジタルデータに対し、映像復号もしくは音声復号、あるいはその両方を行って映像信号／音声信号に変換し、前記変換された映像信号／音声信号を表示／出力するとともに、前記検波された復調信号から、一部の所定のセグメントを抽出し、前記抽出されたセグメント信号に対し、変調方式に応じたマッピング信号点の判定を行い、参照信号に変換し、前記抽出されたセグメント信号と、前記判定された参照信号と、に基づいて周波数特性を算出し、前記算出された周波数特性に対して逆高速フーリエ変換（ＩＦＦＴ）を行い、第一の遅延プロファイルを示す時間領域信号に変換し、前記ＦＦＴされた信号からＳＰ信号を抽出し、抽出したＳＰ信号に基づいて第二の遅延プロファイルを検出し、前記第一の遅延プロファイル信号と、前記第二の遅延プロファイル信号のいずれかを選択し、前記選択された遅延プロファイル信号に基づいて、前記ＦＦＴ処理されるべきベースバンドＯＦＤＭ信号の時間窓を設定するためのシンボルタイミングを制御することを特徴とする。
【００４４】
本願の請求項２０の発明は、直交周波数分割多重（ＯＦＤＭ）信号を受信する受信方法であって、ＯＦＤＭ受信信号の選局を行い、前記選局された受信信号をデジタル信号に変換し、前記変換されたデジタル信号を直交検波してベースバンドＯＦＤＭ信号に変換し、前記直交検波されたベースバンドＯＦＤＭ信号に対し高速フーリエ変換（ＦＦＴ）を行って、時間領域の信号から周波数領域の信号に変換し、前記ＦＦＴされた信号に対し同期検波もしくは差動検波を行って復調し、前記検波された復調信号に対し、誤り復号訂正を行い、前記誤り復号訂正されたデジタルデータに対し、映像復号もしくは音声復号、あるいはその両方を行って映像信号／音声信号に変換し、前記変換された映像信号／音声信号を表示／出力するとともに、前記検波された復調信号から、一部の所定のセグメントを抽出し、前記抽出されたセグメント信号に対し、変調方式に応じたマッピング信号点の判定を行い、参照信号に変換し、前記抽出されたセグメント信号と、前記判定された参照信号と、に基づいて周波数特性を算出し、前記算出された周波数特性に対して逆高速フーリエ変換（ＩＦＦＴ）を行い、第一の遅延プロファイルを示す時間領域信号に変換し、前記ＦＦＴされた信号からＳＰ信号を抽出し、抽出したＳＰ信号に基づいて第二の遅延プロファイルを検出し、前記誤り訂正の結果から、受信品質の良し悪しを判定し、前記第一の遅延プロファイル信号と、前記第二の遅延プロファイル信号から、いずれかの遅延プロファイル信号に基づいて、前記ＦＦＴ処理されるべきベースバンドＯＦＤＭ信号の時間窓を設定するためのシンボルタイミングを制御するとともに、前記判定された受信品質信号に従い、受信品質が悪い場合には順次制御の基準信号を切り換えてゆき、受信品質がよい状態を保持するようにシンボルタイミングを制御することを特徴とする。
【００４５】
本願の請求項２１の発明は、直交周波数分割多重（ＯＦＤＭ）信号を受信して復調する集積回路であって、受信信号をデジタル信号に変換するＡ／Ｄ変換手段と、デジタル信号を直交検波しベースバンドＯＦＤＭ信号に変換する直交復調手段と、前記直交復調手段からの信号に対し高速フーリエ変換を行い、時間領域の信号から周波数領域の信号に変換して出力するＦＦＴ手段と、前記ＦＦＴ手段からの信号に対し同期検波もしくは差動検波を行い、復調された信号を出力する検波手段と、前記検波手段で得られた復調信号に対し、誤り復号訂正を行う誤り訂正手段と、前記検波手段で得られた復調信号から、一部の所定のセグメントを抽出する部分セグメント抽出手段と、前記部分セグメント抽出手段で得られたセグメント信号に対し、変調方式に応じたマッピング信号点の判定を行い、参照信号として出力する参照信号判定手段と、前記部分セグメント抽出手段で得られたセグメント信号と、前記参照信号判定手段で判定された参照信号と、に基づいて周波数特性を算出する周波数特性算出手段と、前記周波数特性算出手段で得られた周波数特性に対して逆高速フーリエ変換を行い、遅延プロファイルを示す時間領域信号に変換して出力するＩＦＦＴ手段と、前記ＩＦＦＴ手段で得られた遅延プロファイル信号に基づいて、前記ＦＦＴ手段において処理されるべきベースバンドＯＦＤＭ信号の時間窓を設定するためのシンボルタイミングを制御するシンボルタイミング制御手段と、を具備することを特徴とする。
【００４６】
本願の請求項２２の発明は、直交周波数分割多重（ＯＦＤＭ）信号を受信して復調する集積回路であって、受信信号をデジタル信号に変換するＡ／Ｄ変換手段と、デジタル信号を直交検波しベースバンドＯＦＤＭ信号に変換する直交復調手段と、前記直交復調手段からの信号に対し高速フーリエ変換を行い、時間領域の信号から周波数領域の信号に変換して出力するＦＦＴ手段と、前記ＦＦＴ手段からの信号に対し同期検波もしくは差動検波を行い、復調された信号を出力する検波手段と、前記検波手段で得られた復調信号に対し、誤り復号訂正を行う誤り訂正手段と、前記検波手段で得られた復調信号から、一部の所定のセグメントを抽出する部分セグメント抽出手段と、前記部分セグメント抽出手段で得られたセグメント信号に対し、変調方式に応じたマッピング信号点の判定を行い、参照信号として出力する参照信号判定手段と、前記部分セグメント抽出手段で得られたセグメント信号と、前記参照信号判定手段で判定された参照信号と、に基づいて周波数特性を算出する周波数特性算出手段と、前記周波数特性算出手段で得られた周波数特性に対して逆高速フーリエ変換を行い、遅延プロファイルを示す時間領域信号に変換して出力するＩＦＦＴ手段と、前記ＦＦＴ手段で得られたキャリア信号からＳＰ信号を抽出し、抽出したＳＰ信号に基づいて遅延プロファイルを検出して出力するＳＰ信号遅延プロファイル検出手段と、前記ＳＰ信号遅延プロファイル検出手段で得られた遅延プロファイル信号、前記ＩＦＦＴ手段で得られた遅延プロファイル信号の、いずれかの遅延プロファイルを選択して出力する選択手段と、前記選択手段で選択された遅延プロファイル信号に基づいて、前記ＦＦＴ手段において処理されるべきベースバンドＯＦＤＭ信号の時間窓を設定するためのシンボルタイミングを制御するシンボルタイミング制御手段と、を具備することを特徴とする。
【００４７】
本願の請求項２３の発明は、直交周波数分割多重（ＯＦＤＭ）信号を受信して復調する集積回路であって、受信信号をデジタル信号に変換するＡ／Ｄ変換手段と、デジタル信号を直交検波しベースバンドＯＦＤＭ信号に変換する直交復調手段と、前記直交復調手段からの信号に対し高速フーリエ変換を行い、時間領域の信号から周波数領域の信号に変換して出力するＦＦＴ手段と、前記ＦＦＴ手段からの信号に対し同期検波もしくは差動検波を行い、復調された信号を出力する検波手段と、前記検波手段で得られた復調信号に対し、誤り復号訂正を行う誤り訂正手段と、前記検波手段で得られた復調信号から、一部の所定のセグメントを抽出する部分セグメント抽出手段と、前記部分セグメント抽出手段で得られたセグメント信号に対し、変調方式に応じたマッピング信号点の判定を行い、参照信号として出力する参照信号判定手段と、前記部分セグメント抽出手段で得られたセグメント信号と、前記参照信号判定手段で判定された参照信号と、に基づいて周波数特性を算出する周波数特性算出手段と、前記周波数特性算出手段で得られた周波数特性に対して逆高速フーリエ変換を行い、遅延プロファイルを示す時間領域信号に変換して出力するＩＦＦＴ手段と、前記ＦＦＴ手段で得られたキャリア信号からＳＰ信号を抽出し、抽出したＳＰ信号に基づいて遅延プロファイルを検出して出力するＳＰ信号遅延プロファイル検出手段と、前記誤り訂正手段で得られた誤り訂正の結果から、受信品質の良し悪しを判定して出力する受信品質判定手段と、前記ＳＰ信号遅延プロファイル検出手段で得られた遅延プロファイル信号、前記ＩＦＦＴ手段で得られた遅延プロファイル信号から、いずれかの遅延プロファイル信号に基づいて、前記ＦＦＴ手段において処理されるべきベースバンドＯＦＤＭ信号の時間窓を設定するためのシンボルタイミングを制御するとともに、前記受信品質判定手段からの受信品質判定信号に従い、受信品質が悪い場合には順次制御の基準信号を切り換えてゆき、受信品質がよい状態を保持するようにシンボルタイミングを制御するシンボルタイミング制御手段と、を具備することを特徴とする。
【００４８】
本願の請求項２４の発明は、直交周波数分割多重（ＯＦＤＭ）信号を受信して復調する復調方法であって、受信信号をデジタル信号に変換し、前記変換されたデジタル信号を直交検波してベースバンドＯＦＤＭ信号に変換し、前記直交検波されたベースバンドＯＦＤＭ信号に対し高速フーリエ変換（ＦＦＴ）を行って、時間領域の信号から周波数領域の信号に変換し、前記ＦＦＴされた信号に対し同期検波もしくは差動検波を行って復調し、前記検波された復調信号に対し、誤り復号訂正を行うとともに、前記検波された復調信号から、一部の所定のセグメントを抽出し、前記抽出されたセグメント信号に対し、変調方式に応じたマッピング信号点の判定を行い、参照信号に変換し、前記抽出されたセグメント信号と、前記判定された参照信号と、に基づいて周波数特性を算出し、前記算出された周波数特性に対して逆高速フーリエ変換（ＩＦＦＴ）を行い、遅延プロファイルを示す時間領域信号に変換し、前記ＩＦＦＴされた遅延プロファイル信号に基づいて、前記ＦＦＴ処理されるべきベースバンドＯＦＤＭ信号の時間窓を設定するためのシンボルタイミングを制御することを特徴とする。
【００４９】
本願の請求項２５の発明は、直交周波数分割多重（ＯＦＤＭ）信号を受信して復調する復調方法であって、受信信号をデジタル信号に変換し、前記変換されたデジタル信号を直交検波してベースバンドＯＦＤＭ信号に変換し、前記直交検波されたベースバンドＯＦＤＭ信号に対し高速フーリエ変換（ＦＦＴ）を行って、時間領域の信号から周波数領域の信号に変換し、前記ＦＦＴされた信号に対し同期検波もしくは差動検波を行って復調し、前記検波された復調信号に対し、誤り復号訂正を行うとともに、前記検波された復調信号から、一部の所定のセグメントを抽出し、前記抽出されたセグメント信号に対し、変調方式に応じたマッピング信号点の判定を行い、参照信号に変換し、前記抽出されたセグメント信号と、前記判定された参照信号と、に基づいて周波数特性を算出し、前記算出された周波数特性に対して逆高速フーリエ変換（ＩＦＦＴ）を行い、第一の遅延プロファイルを示す時間領域信号に変換し、前記ＦＦＴされた信号からＳＰ信号を抽出し、抽出したＳＰ信号に基づいて第二の遅延プロファイルを検出し、前記第一の遅延プロファイル信号と、前記第二の遅延プロファイル信号のいずれかを選択し、前記選択された遅延プロファイル信号に基づいて、前記ＦＦＴ処理されるべきベースバンドＯＦＤＭ信号の時間窓を設定するためのシンボルタイミングを制御することを特徴とする。
【００５０】
本願の請求項２６の発明は、直交周波数分割多重（ＯＦＤＭ）信号を受信して復調する復調方法であって、受信信号をデジタル信号に変換し、前記変換されたデジタル信号を直交検波してベースバンドＯＦＤＭ信号に変換し、前記直交検波されたベースバンドＯＦＤＭ信号に対し高速フーリエ変換（ＦＦＴ）を行って、時間領域の信号から周波数領域の信号に変換し、前記ＦＦＴされた信号に対し同期検波もしくは差動検波を行って復調し、前記検波された復調信号に対し、誤り復号訂正を行うとともに、前記検波された復調信号から、一部の所定のセグメントを抽出し、前記抽出されたセグメント信号に対し、変調方式に応じたマッピング信号点の判定を行い、参照信号に変換し、前記抽出されたセグメント信号と、前記判定された参照信号と、に基づいて周波数特性を算出し、前記算出された周波数特性に対して逆高速フーリエ変換（ＩＦＦＴ）を行い、第一の遅延プロファイルを示す時間領域信号に変換し、前記ＦＦＴされた信号からＳＰ信号を抽出し、抽出したＳＰ信号に基づいて第二の遅延プロファイルを検出し、前記誤り訂正の結果から、受信品質の良し悪しを判定し、前記第一の遅延プロファイル信号と、前記第二の遅延プロファイル信号から、いずれかの遅延プロファイル信号に基づいて、前記ＦＦＴ処理されるべきベースバンドＯＦＤＭ信号の時間窓を設定するためのシンボルタイミングを制御するとともに、前記判定された受信品質信号に従い、受信品質が悪い場合には順次制御の基準信号を切り換えてゆき、受信品質がよい状態を保持するようにシンボルタイミングを制御することを特徴とする。
【００５１】
本願の請求項２７の発明は、直交周波数分割多重（ＯＦＤＭ）信号を受信して解析する解析装置であって、選局を行うチューナ手段と、受信信号をデジタル信号に変換するＡ／Ｄ変換手段と、デジタル信号を直交検波しベースバンドＯＦＤＭ信号に変換する直交復調手段と、前記直交復調手段からの信号に対し高速フーリエ変換を行い、時間領域の信号から周波数領域の信号に変換して出力するＦＦＴ手段と、前記ＦＦＴ手段からの信号に対し同期検波もしくは差動検波を行い、復調された信号を出力する検波手段と、前記検波手段で得られた復調信号から、一部の所定のセグメントを抽出する部分セグメント抽出手段と、前記部分セグメント抽出手段で得られたセグメント信号に対し、変調方式に応じたマッピング信号点の判定を行い、参照信号として出力する参照信号判定手段と、前記部分セグメント抽出手段で得られたセグメント信号と、前記参照信号判定手段で判定された参照信号と、に基づいて周波数特性を算出する周波数特性算出手段と、前記周波数特性算出手段で得られた周波数特性に対して逆高速フーリエ変換を行い、遅延プロファイルを示す時間領域信号に変換して出力するＩＦＦＴ手段と、前記ＩＦＦＴ手段で得られた遅延プロファイル信号を表示出力する出力手段と、を具備することを特徴とする。
【００５２】
本願の請求項２８の発明は、直交周波数分割多重（ＯＦＤＭ）信号を受信して解析する解析装置であって、選局を行うチューナ手段と、受信信号をデジタル信号に変換するＡ／Ｄ変換手段と、デジタル信号を直交検波しベースバンドＯＦＤＭ信号に変換する直交復調手段と、前記直交復調手段からの信号に対し高速フーリエ変換を行い、時間領域の信号から周波数領域の信号に変換して出力するＦＦＴ手段と、前記ＦＦＴ手段からの信号に対し同期検波もしくは差動検波を行い、復調された信号を出力する検波手段と、前記検波手段で得られた復調信号から、一部の所定のセグメントを抽出する部分セグメント抽出手段と、前記部分セグメント抽出手段で得られたセグメント信号に対し、変調方式に応じたマッピング信号点の判定を行い、参照信号として出力する参照信号判定手段と、前記部分セグメント抽出手段で得られたセグメント信号と、前記参照信号判定手段で判定された参照信号と、に基づいて周波数特性を算出する周波数特性算出手段と、前記周波数特性算出手段で得られた周波数特性に対して逆高速フーリエ変換を行い、遅延プロファイルを示す時間領域信号に変換して出力するＩＦＦＴ手段と、前記ＦＦＴ手段で得られたキャリア信号からＳＰ信号を抽出し、抽出したＳＰ信号に基づいて遅延プロファイルを検出して出力するＳＰ信号遅延プロファイル検出手段と、前記ＳＰ信号遅延プロファイル検出手段で得られた遅延プロファイル信号、前記ＩＦＦＴ手段で得られた遅延プロファイル信号の、いずれかの遅延プロファイルを選択して出力する選択手段と、前記選択手段で選択された遅延プロファイル信号を表示出力する出力手段と、を具備することを特徴とする。
【００５３】
本願の請求項２９の発明は、直交周波数分割多重（ＯＦＤＭ）信号を受信して遅延プロファイルを検出する方法であって、ＯＦＤＭ受信信号の選局を行い、前記選局された受信信号をデジタル信号に変換し、前記変換されたデジタル信号を直交検波してベースバンドＯＦＤＭ信号に変換し、前記直交検波されたベースバンドＯＦＤＭ信号に対し高速フーリエ変換（ＦＦＴ）を行って、時間領域の信号から周波数領域の信号に変換し、前記ＦＦＴされた信号に対し同期検波もしくは差動検波を行って復調し、前記検波された復調信号から、一部の所定のセグメントを抽出し、前記抽出されたセグメント信号に対し、変調方式に応じたマッピング信号点の判定を行い、参照信号に変換し、前記抽出されたセグメント信号と、前記判定された参照信号と、に基づいて周波数特性を算出し、前記算出された周波数特性に対して逆高速フーリエ変換（ＩＦＦＴ）を行い、遅延プロファイルを示す時間領域信号に変換することを特徴とする。
【００５４】
本願の請求項３０の発明は、直交周波数分割多重（ＯＦＤＭ）信号を受信して遅延プロファイルを検出する方法であって、ＯＦＤＭ受信信号の選局を行い、前記選局された受信信号をデジタル信号に変換し、前記変換されたデジタル信号を直交検波してベースバンドＯＦＤＭ信号に変換し、前記直交検波されたベースバンドＯＦＤＭ信号に対し高速フーリエ変換（ＦＦＴ）を行って、時間領域の信号から周波数領域の信号に変換し、前記ＦＦＴされた信号に対し同期検波もしくは差動検波を行って復調し、前記検波された復調信号から、一部の所定のセグメントを抽出し、前記抽出されたセグメント信号に対し、変調方式に応じたマッピング信号点の判定を行い、参照信号に変換し、前記抽出されたセグメント信号と、前記判定された参照信号と、に基づいて周波数特性を算出し、前記算出された周波数特性に対して逆高速フーリエ変換（ＩＦＦＴ）を行い、第一の遅延プロファイルを示す時間領域信号に変換し、前記ＦＦＴされた信号からＳＰ信号を抽出し、抽出したＳＰ信号に基づいて第二の遅延プロファイルを検出し、前記第一の遅延プロファイル信号と、前記第二の遅延プロファイル信号のいずれかを選択することを特徴とする。
【発明の効果】
【００５５】
本発明によれば、ガードインターバルを大きく越える遅延時間差のマルチパス波が到来した場合でも、サンプリングの折り返しによる検出の誤りを起こすことなく、信頼性の高い遅延プロファイルを検出することができ、ＳＦＮ環境における受信障害を回避することができる。特に、ワンセグ放送の運用上、固定受信向けに放送されている６４ＱＡＭ変調方式の階層を受信し、かつ受信可能限界に近い受信状況においても、ＱＰＳＫ変調信号に対して判定を行うことにより、参照信号判定に誤りを生じることなく、精度のよい周波数特性を得ることができ、受信誤りを発生しないシンボルタイミング制御が可能になる。
【発明を実施するための最良の形態】
【００５６】
（実施の形態１）
まず本発明の実施の形態における受信装置について、図面を参照して詳細に説明する。図１は本発明の実施の形態１によるＯＦＤＭ受信装置９０１の全体構成図である。図示しない受信アンテナ又はケーブルを通じて直交周波数分割多重信号（ＯＦＤＭ信号又はＯＦＤＭ伝送信号という）がＯＦＤＭ受信装置９０１に与えられる。この信号はチューナ部９０２によって選局され、Ａ／Ｄ変換部９０３によってデジタル信号に変換される。直交復調部９０４は、入力されたデジタル信号に対し直交検波を行い、ベースバンドのＯＦＤＭ信号に変換する。ＦＦＴ部９０５は、直交復調部９０４からの信号に対し高速フーリエ変換を行い、時間領域の信号から周波数領域の信号、即ち複数のキャリア信号に変換して出力する。
【００５７】
検波部９０６は、ＦＦＴ部９０５からの信号に対し同期検波もしくは差動検波を行い、復調された信号を出力する。誤り訂正部９０７は検波部９０６で得られた復調信号に対して誤り訂正復号を行う。データ復号部９０８は、誤り訂正部９０７で得られたデジタルデータに対し、映像復号もしくは音声復号、あるいはその両方を行い、映像信号／音声信号を出力する。データ復号部９０８において復号された映像信号及び音声信号は、ＯＦＤＭ受信装置９０１の外部の表示装置及びスピーカないし記録装置に出力されるか、内部の表示部１０１及びスピーカ１０２に出力される。
【００５８】
図２は、本発明の実施の形態１によるシンボルタイミング制御に関わるブロック構成図である。以下詳細に説明する。
相関算出部９０９は、直交復調部９０４からのベースバンドＯＦＤＭ信号と、ベースバンドＯＦＤＭ信号に対してシンボル長Ｔｕ相当の遅延を加えた遅延信号との相関を算出する。なお相関算出部９０９は、後段のシンボルタイミング制御処理を容易にするために、算出された相関信号に対して所定の時間長での移動平均化処理を含んでもよい。なおこの移動平均化処理に用いる前記所定の時間長としては、ガードインターバル長Ｔｇや、Ｔｇの２倍、３倍、１．５倍など様々な時間長が適用可能である。
【００５９】
シンボルタイミング制御部９１０は、相関算出部９０９からの相関信号、および全キャリア遅延プロファイル検出部９１１からの遅延プロファイル信号に基づいて、ＦＦＴ部において処理されるべきベースバンドＯＦＤＭ信号の時間窓を設定するためのシンボルタイミングを制御して、出力する。
ここでシンボルタイミング制御部９１０は、受信開始当初の初期段階では、相関算出部９０９からの相関信号に基づくシンボルタイミングの制御を行い、所定の時間の経過後、あるいは相関信号に基づくシンボルタイミング制御がある程度安定した時点で、全キャリア遅延プロファイル検出部９１１からの遅延プロファイル信号に基づくシンボルタイミングの制御に切り換える制御を行ってもよい。
【００６０】
またシンボルタイミング制御部９１０は、遅延プロファイル信号に基づくシンボルタイミングの制御を行う場合に、非特許文献２に示される制御方法により、制御を実施する構成としてもよい。また、シンボルタイミング制御部９１０は、より簡易的に、遅延プロファイルにより示される複数のマルチパス信号のうち、所定の時間範囲内に納まるマルチパス信号の電力の総和が最大になるように、あるいは、所定の時間範囲内に納まらないマルチパス信号の電力の総和が最小になるように、シンボルタイミングの制御を行ってもよい。
【００６１】
伝送パラメータ検出部９１９は、ＦＦＴ部９０５で得られた信号から、ＴＭＣＣ信号を抽出し、各種伝送パラメータを検出して出力する。
全キャリア遅延プロファイル検出部９１１は、参照信号判定部９１３と、周波数特性算出部９１４と、ＩＦＦＴ部９１５と、から構成され、検波部９０６で得られた復調信号から遅延プロファイルを検出する。
【００６２】
参照信号判定部９１３は、検波部９０６で得られた全てのキャリア信号に対して、伝送パラメータ検出部９１９で検出された伝送パラメータに従い、変調方式に応じたマッピング信号点の硬判定を行い、参照信号として出力する。
周波数特性算出部９１４は、検波部９０６で得られた復調信号と、参照信号判定部９１３で判定された参照信号と、に基づいて周波数特性を算出する。原理的には、キャリア信号を参照信号で除算することで算出することができる。なお、回路化および計算機処理する場合の演算規模の減少を図るため、除算処理を他の演算処理で代替してもよい。
【００６３】
ＩＦＦＴ部９１５は、周波数特性算出部９１４で算出された周波数特性に対して逆高速フーリエ変換を行い、遅延プロファイルを示す時間領域信号に変換して出力する。
前述した従来の遅延プロファイル検出方法では、ＳＰ信号を用いた周波数特性に基づいているため、検出可能な遅延時間の範囲は有効シンボル長Ｔｕの１／３（±Ｔｕ／６）であった。このため、それを超えるマルチパス波が到来した場合に、サンプリングによる折り返しが検出時間範囲内に発生し、結果的にシンボルタイミングの制御に誤りを生じ、受信性能に悪影響を与える可能性があった。本実施の形態によれば、データ信号を含む全キャリア信号を用いた周波数特性に基づいているため、図１０（ｂ）に示すように、検出可能な遅延時間の範囲は有効シンボル長Ｔｕ（±Ｔｕ／２）と等しくなり、また、Ｔｕ／４といったガードインターバル長を越えるような大きな時間差の遅延波が存在した場合にも、サンプリングによる折り返しを生じることなく、誤りのないシンボルタイミングの制御が可能になるという利点がある。
【００６４】
（実施の形態２）
本発明の実施の形態２によるＯＦＤＭ受信装置９０１の全体構成図は、実施の形態１と同じく図１に示す通りになるため、説明は省略する。
図３は、本発明の実施の形態２によるシンボルタイミング制御に関わるブロック構成図である。相関算出部９０９、シンボルタイミング制御部９１０および伝送パラメータ検出部９１９の構成と動作は、実施の形態１と同様であり、詳細な説明は省略する。以下、部分セグメント遅延プロファイル検出部９２１について詳細に説明する。
【００６５】
部分セグメント遅延プロファイル検出部９２１は、部分セグメント抽出部９１２と、参照信号判定部９１３と、周波数特性算出部９１４と、ＩＦＦＴ部９１５と、から構成され、検波部９０６で得られた復調信号から遅延プロファイルを検出する。
部分セグメント抽出部９１２は、検波部９０６で得られた復調信号から、伝送パラメータ検出部９１９で検出された伝送パラメータに従い、一部の所定のセグメントを抽出する。ここで、所定のセグメントは、階層伝送に対応し、より誤り耐性の高い変調方式で伝送された階層に属するセグメントを示す。例えば、ワンセグ放送の運用においては、ＱＰＳＫ変調されたＮｏ．０の（周波数配置上では中央の）セグメントがこれにあたり、Ｎｏ．１〜Ｎｏ．１２の（中央以外の）セグメントは６４ＱＡＭ変調されている。この運用を想定し、伝送パラメータを参照することなく、中央の１セグメントを抽出する構成としてもよい。もちろん、伝送パラメータを参照することにより、ワンセグ以外のセグメント構成（１６ＱＡＭを含む場合や、抽出する階層のセグメント数が１以外の場合など）にも対応可能である。
【００６６】
参照信号判定部９１３は、部分セグメント抽出部９１２で抽出されたセグメントのキャリア信号に対して、伝送パラメータ検出部９１９で検出された伝送パラメータに従い、変調方式に応じたマッピング信号点の硬判定を行い、参照信号として出力する。
周波数特性算出部９１４は、部分セグメント抽出部９１２で抽出されたセグメントのキャリア信号と、参照信号判定部９１３で判定された参照信号と、に基づいて周波数特性を算出する。原理的には、キャリア信号を参照信号で除算することで算出することができる。なお、回路化および計算機処理する場合の演算規模の減少を図るため、除算処理を他の演算処理で代替してもよい。
【００６７】
ＩＦＦＴ部９１５は、周波数特性算出部９１４で算出された周波数特性に対して逆高速フーリエ変換を行い、遅延プロファイルを示す時間領域信号に変換して出力する。
実施の形態２の方法によれば、実施の形態１に比較して、離散化されていない連続キャリアを用いるという点で、検出可能な遅延時間の範囲は有効シンボル長Ｔｕ（±Ｔｕ／２）となり、同等である。その一方で、参照信号の判定における誤りキャリアの数が減少するため、検出される遅延プロファイルの信頼度が向上し、シンボルタイミング制御が精度よく行えるという利点がある。特に、ワンセグ放送の運用において、固定受信向けに放送されている６４ＱＡＭ変調方式の階層を受信する場合に、実施の形態１を適用すると、受信可能限界に近い受信状況では、参照信号判定に頻繁に誤りを生じることにより、周波数特性の推定精度が大幅に劣化してしまう。そのような場合でも、実施の形態２の方法によれば、ＱＰＳＫ変調信号に対して判定を行うため、参照信号判定にほとんど誤りを生じることなく、精度のよい周波数特性を得ることができ、受信誤りを発生しないシンボルタイミング制御が可能になる。
【００６８】
（実施の形態３）
本発明の実施の形態３によるＯＦＤＭ受信装置９０１の全体構成図は、実施の形態１と同じく図１に示す通りになるため、説明は省略する。
図４は、本発明の実施の形態３によるシンボルタイミング制御に関わるブロック構成図である。相関算出部９０９、シンボルタイミング制御部９１０、伝送パラメータ検出部９１９、ＳＰ信号遅延プロファイル検出部８０１、全キャリア遅延プロファイル検出部９１１、部分セグメント遅延プロファイル検出部９２１の構成と動作は、背景技術および実施の形態１、２に述べたものと同様であり、詳細な説明は省略する。
【００６９】
選択部９１８は、伝送パラメータ検出部９１９で検出された伝送パラメータに従い、階層伝送の有無や各階層の変調方式に応じて、ＳＰ信号遅延プロファイル検出部８０１で得られた遅延プロファイル、全キャリア遅延プロファイル検出部９１１で得られた遅延プロファイル、部分セグメント遅延プロファイル検出部９２１で得られた遅延プロファイルの中から、いずれかの遅延プロファイルを選択して出力する。
【００７０】
なお実施の形態３において、ＳＰ信号遅延プロファイル検出部８０１、全キャリア遅延プロファイル検出部９１１、部分セグメント遅延プロファイル検出部９２１のうち２つのブロックが含まれており、残り１つのブロックが含まれていない構成としてもよい。
実施の形態３の方法によれば、実施の形態１および実施の形態２に比較して、階層化伝送されていない場合や、全セグメントが６４ＱＡＭ変調されていて、参照信号の判定における誤りキャリアの数が増大する場合にも、従来通りの遅延プロファイルが検出でき、悪影響を遮断できるという利点がある。
【００７１】
（実施の形態４）
本発明の実施の形態４によるＯＦＤＭ受信装置９０１の全体構成図は、実施の形態１と同じく図１に示す通りになるため、説明は省略する。
図５は、本発明の実施の形態４によるシンボルタイミング制御に関わるブロック構成図である。相関算出部９０９、伝送パラメータ検出部９１９、ＳＰ信号遅延プロファイル検出部８０１、全キャリア遅延プロファイル検出部９１１、部分セグメント遅延プロファイル検出部９２１の構成と動作は、背景技術および実施の形態１、２に述べたものと同様であり、詳細な説明は省略する。
【００７２】
受信品質判定部９３０は、誤り訂正部９０７の誤り訂正結果などを受け取り、受信品質の良し悪しを判定して出力する。
シンボルタイミング制御部９１０は、相関算出部９０９からの相関信号、ＳＰ信号遅延プロファイル検出部８０１で得られた遅延プロファイル、全キャリア遅延プロファイル検出部９１１で得られた遅延プロファイル、部分セグメント遅延プロファイル検出部９２１で得られた遅延プロファイルのいずれかに基づいてシンボルタイミングの制御を行うとともに、受信品質判定部９３０からの受信品質判定信号に従い、受信品質が悪い場合には順次制御の基準信号を切り換えてゆき、受信品質がよい状態を保持するように制御する。
【００７３】
なお実施の形態４において、ＳＰ信号遅延プロファイル検出部８０１、全キャリア遅延プロファイル検出部９１１、部分セグメント遅延プロファイル検出部９２１のうちいずれか１つ以上のブロックが含まれており、他のブロックが含まれていない構成としてもよい。
実施の形態４の方法によれば、実施の形態３に比較して、実際の受信品質に基づいた切り換え制御が可能であり、制御のミスによる受信不可能状態を回避できるという利点がある。
【００７４】
（実施の形態５）
図６は本発明の実施の形態５によるＯＦＤＭ信号解析装置２０１の全体構成図である。チューナ部９０２、Ａ／Ｄ変換部９０３、直交復調部９０４、ＦＦＴ部９０５、検波部９０６、ＳＰ信号遅延プロファイル検出部８０１、部分セグメント遅延プロファイル検出部９２１、伝送パラメータ検出部９１９の構成および動作は、実施の形態３と同様であり、詳細な説明は省略する。
【００７５】
選択部９２８は、伝送パラメータ検出部９１９で検出された伝送パラメータに従い、階層伝送の有無や各階層の変調方式に応じて、ＳＰ信号遅延プロファイル検出部８０１で得られた遅延プロファイル、部分セグメント遅延プロファイル検出部９２１で得られた遅延プロファイルの、いずれかの遅延プロファイルを選択して出力する。なお、選択部９２８は、ＯＦＤＭ信号解析装置２０１の外部より与えられる選択入力により、いずれかの遅延プロファイルを選択して出力する構成としてもよい。
【００７６】
表示部２０２は、選択部９２８により選択された遅延プロファイルを出力表示する。
実施の形態５の方法によれば、ＳＰ信号を用いた周波数特性に基づいた検出を行う従来のＯＦＤＭ信号解析装置では検出不可能であった有効シンボル長Ｔｕの１／３を超えるマルチパス波が到来した場合にも、サンプリングによる折り返しを生じることなく、精度の高い遅延プロファイルの出力表示が可能になるという利点がある。
【００７７】
なお、上記の各実施の形態のいずれにおいても、その構成の一部をもしくは全部を集積回路としてもよい。
【産業上の利用可能性】
【００７８】
本発明にかかる遅延プロファイル検出方法又は回路は、ガードインターバルを大きく越える遅延時間差のマルチパス波が到来した場合でも、サンプリングの折り返しによる検出の誤りを起こすことなく、信頼性の高い遅延プロファイルを検出することができ、ＳＦＮ環境における受信障害を回避することができる。このような機能は、例えば、ＰＤＰや液晶テレビはもちろん、ＳＴＢ、ＤＶＤレコーダなどの地上デジタル放送受信機能を有する各種装置、および地上デジタル放送波解析装置、並びにそれらの装置に搭載される集積回路などに利用することができる。
【図面の簡単な説明】
【００７９】
【図１】本発明の実施の形態におけるＯＦＤＭ受信装置の全体構成を示すブロック図である。
【図２】本発明の実施の形態１におけるシンボルタイミング制御に関わるブロック構成図である。
【図３】本発明の実施の形態２におけるシンボルタイミング制御に関わるブロック構成図である。
【図４】本発明の実施の形態３におけるシンボルタイミング制御に関わるブロック構成図である。
【図５】本発明の実施の形態４におけるシンボルタイミング制御に関わるブロック構成図である。
【図６】本発明の実施の形態５におけるＯＦＤＭ信号解析装置の全体構成を示すブロック図である。
【図７】特許文献２の方法によるシンボルタイミング制御に関わるブロック構成図である。
【図８】地上デジタル放送方式におけるモード１の同期変調部のＯＦＤＭセグメント構成を示す図である。
【図９】サンプリング間隔と、遅延プロファイル検出範囲との関係を示す図である。
【図１０】サンプリングによる折り返しと、遅延プロファイル検出範囲との関係を示す図である。
【図１１】非特許文献３の方法による受信装置のブロック構成図である。
【図１２】非特許文献２の方法によるシンボルタイミング制御の概念を示す図である。
【符号の説明】
【００８０】
１０１    表示部
１０２    スピーカ
２０１    ＯＦＤＭ信号解析装置
２０２    表示部
３０１    希望波
３０２、３０３、３０４、３０５、３０６    希望波の折り返し信号
３１１    遅延波
３１２、３１３、３１４、３１５    遅延波の折り返し信号
４０１    適応フィルタ
４０２    フィルタ係数生成部
４０３    周波数特性算出部
４０４    参照信号判定部
４０５    フィルタ係数算出部
４０６    減算部
８０１    ＳＰ信号遅延プロファイル検出部
８０２    ＳＰ信号抽出部
８０３    ＳＰ信号発生部
８０４    周波数特性算出部
８０５    ＩＦＦＴ部
９０１    ＯＦＤＭ受信装置
９０２    チューナ部
９０３    Ａ／Ｄ変換部
９０４    直交復調部
９０５    ＦＦＴ部
９０６    検波部
９０７    誤り訂正部
９０８    データ復号部
９０９    相関検出部
９１０    シンボルタイミング制御部
９１１    全キャリア遅延プロファイル検出部
９１２    部分セグメント抽出部
９１３    参照信号判定部
９１４    周波数特性算出部
９１５    ＩＦＦＴ部
９１８    選択部
９１９    伝送パラメータ検出部
９２１    部分セグメント遅延プロファイル検出部
９３０    受信品質判定部
【図１】
2008042574.tif 000003
【図２】
2008042574.tif 000004
【図３】
2008042574.tif 000005
【図４】
2008042574.tif 000006
【図５】
2008042574.tif 000007
【図６】
2008042574.tif 000008
【図７】
2008042574.tif 000009
【図８】
2008042574.tif 000010
【図９】
2008042574.tif 000011
【図１０】
2008042574.tif 000012
【図１１】
2008042574.tif 000013
【図１２】
2008042574.tif 000014